(57)【要約】【課題】基板ボックス内に制御回路基板を収容して構成した遊技機において、制御回路基板上に固定したコネクタ周囲の隙間を通じての不正行為を抑制する。【解決手段】パチンコ機の主制御装置２７１において、基板ボックス２７３には制御回路基板が収容され、制御回路基板上には接続ピンを半田付けすることでコネクタ２８１が固定されている。コネクタ２８１は基板ボックス２７３の開口部より露出している。制御回路基板の表面における基板ボックス２７３の開口部を通じて露出される部分には配線パターンが形成されていない。【選択図】      図１３
2006288874.tif 000002
【特許請求の範囲】
【請求項１】
所定の配線パターンが形成された制御回路基板を基板ボックスに収容するとともに、前記制御回路基板の前記配線パターンの形成面上に固定したコネクタ部材を前記基板ボックスに設けた開口部より露出させて他の電気部品と接続可能とした遊技機において、
少なくとも前記開口部を通じて露出される前記制御回路基板の表面領域に、前記配線パターンを形成しないようにしたことを特徴とする遊技機。
【請求項２】
所定の配線パターンが形成された制御回路基板を基板ボックスに収容するとともに、前記制御回路基板の前記配線パターンの形成面上に固定したコネクタ部材を前記基板ボックスに設けた開口部より露出させて他の電気部品と接続可能とした遊技機において、
少なくとも前記開口部を通じて露出される前記制御回路基板の表面領域に、前記配線パターンを形成しないようにし、
さらに前記開口部を通じて露出される前記制御回路基板の表面領域に配線パターンを形成しない代わりに、その表面領域に対応する裏面領域に配線パターンを形成したことを特徴とする遊技機。
【発明の詳細な説明】
【技術分野】
【０００１】
本発明は、遊技機に関するものである。
【背景技術】
【０００２】
この種の遊技機として、例えばパチンコ遊技機やスロットマシン等では、遊技に関する各種制御を司る制御装置が搭載されている。この制御装置は、演算装置（ＣＰＵ）やメモリ（ＲＯＭ、ＲＡＭ）といった各種電子部品などを実装した制御回路基板と、この制御回路基板を収容する基板ボックスとを有しており、制御回路基板上に固定したコネクタにハーネス等を接続することにより他の制御回路基板や中継基板等との電気的な接続がなされるようになっている。この場合、基板ボックスにおいて制御回路基板の表面側を覆うカバー部材には開口部が設けられ、この開口部を介して、制御回路基板上に固定したコネクタが外部に露出する構成となっていた（例えば特許文献１参照）。特に、特許文献１に記載の遊技機では、主要な回路部品等を実装した実装領域を覆う蓋部材と、コネクタ設置領域を覆うカバー部材とを別々に設け、これにより制御回路基板の外部に露出する部分を少なくし、制御回路基板に対する不正行為を抑制するようにしていた。
【０００３】
しかしながら、上記特許文献１の遊技機やその他既存の遊技機では、コネクタとカバー部材との間において、コネクタを組み付けたり、コネクタに装着される端子を取り外したりするための隙間（クリアランス）が必要となる。そのため、依然として制御回路基板が外部に露出する部分が存在する。したがって、カバー部材の開口部においてコネクタとの間にできる隙間を通じて不正行為が行われるおそれがあった。
【特許文献１】特開２０００−３７５０７号公報
【発明の開示】
【発明が解決しようとする課題】
【０００４】
本発明は上記事情に鑑みてなされたものであり、基板ボックス内に制御回路基板を収容して構成した遊技機において、制御回路基板上に固定したコネクタ周囲の隙間を通じての不正行為を抑制することができる遊技機を提供することを目的とするものである。
【課題を解決するための手段】
【０００５】
以下、上記課題を解決するのに有効な手段等につき、必要に応じて効果等を示しつつ説明する。なお以下においては、理解の容易のため、発明の実施の形態において対応する構成を括弧書き等で適宜示すが、この括弧書き等で示した具体的構成に限定されるものではない。
【０００６】
手段１．所定の配線パターンが形成された制御回路基板（主基板２８０）を基板ボックス（基板ボックス２７３）に収容するとともに、前記制御回路基板の前記配線パターンの形成面上に固定したコネクタ部材（コネクタ２８１）を前記基板ボックスに設けた開口部（開口部２８３ｃ）より露出させて他の電気部品と接続可能とした遊技機において、
少なくとも前記開口部を通じて露出される前記制御回路基板の表面領域に、前記配線パターンを形成しないようにしたことを特徴とする遊技機。
【０００７】
手段１の遊技機では、基板ボックスに制御回路基板が収容されており、制御回路基板の配線パターンの形成面上にはコネクタ部材が固定されている。また、コネクタ部材は、基板ボックスに設けられた開口部より露出しており、このコネクタ部材により他の電気部品と電気的な接続がなされるようになっている。こうした遊技機では、基板ボックスの開口部を通じて制御回路基板の表面の一部が露出するため、開口部を介して制御回路基板上の配線パターンに外部からリード線を接続し、そのリード線を介して出力される不正信号により遊技機を誤動作させる等の不正行為が行われることが考えられる。
【０００８】
この点、本手段１における構成によれば、少なくとも開口部を通じて露出される制御回路基板の表面領域には配線パターンが形成されていない。これにより、基板ボックスの開口部を通じた上記不正行為を抑制することができる。
【０００９】
手段２．手段１において、前記開口部を通じて露出される前記制御回路基板の表面領域に配線パターンを形成しない代わりに、その表面領域に対応する裏面領域に配線パターンを形成したことを特徴とする遊技機。
【００１０】
手段２によれば、開口部を通じて露出される制御回路基板の表面領域に配線パターンを形成しない代わりに、その表面領域に対応する裏面領域に配線パターンが形成されている。よって、開口部を通じて露出される制御回路基板の表面領域に配線パターンを形成しないようにした構成において、配線パターンの形成領域を確保することができる。
【００１１】
手段３．手段２において、前記制御回路基板に接続された前記コネクタ部材の接続ピン（接続ピン２８４）を、同制御回路基板の裏面側に貫通させて前記裏面領域に形成した配線パターンに接続したことを特徴とする遊技機。
【００１２】
手段３によれば、コネクタ部材の接続ピンが制御回路基板の裏面に形成された配線パターンに接続されている。これにより、開口部を通じて露出される制御回路基板の表面領域に配線パターンを形成しないようにした構成において、コネクタ部材の配線パターンへの接続を確保することができる。
【００１３】
手段４．手段１乃至手段３のいずれかにおいて、前記基板ボックスにおける前記開口部の周縁部分を前記制御回路基板に当接させたことを特徴とする遊技機。
【００１４】
手段４によれば、基板ボックスにおける開口部の周縁部分が制御回路基板と当接している。これにより、基板ボックスと制御回路基板との間を通じて基板ボックス内にリード線を挿し入れることが困難となる。よって、基板ボックスと制御回路基板との間を通じて行われる外部からのリード線の接続などの不正行為を抑制することができる。
【００１５】
手段５．手段４において、前記制御回路基板上における前記基板ボックスの開口部の周縁部分と当接する部位を含む範囲で配線パターンを形成しない構成としたことを特徴とする遊技機。
【００１６】
手段５によれば、制御回路基板上における基板ボックスの開口部の周縁部分と当接する部位を含む範囲で配線パターンを形成しない構成となっている。よって、基板ボックスと制御回路基板との当接部分にリード線などを無理矢理挿し入れたとしても、当該リード線を配線パターンに接続するためには、さらに基板ボックス内における配線パターンが形成された領域まで導く必要が生じる。従って、基板ボックスと制御回路基板との当接部分を通じて行われる外部からのリード線の接続などの不正行為をより困難なものとすることができる。
【００１７】
手段６．手段１乃至手段３のいずれかにおいて、前記基板ボックスに、前記開口部の周縁部分を前記制御回路基板側に折り曲げ形成して周壁部（周壁部７０１ｂ）を設けると共に、前記制御回路基板に凹部（溝部２８８）を形成し、前記周壁部の先端側を前記凹部に入れる構成としたことを特徴とする遊技機。
【００１８】
手段６によれば、基板ボックスに設けた周壁部が、制御回路基板に設けた凹部内に入る構成となっている。これにより、基板ボックスと制御回路基板との間にリード線などを差し込んだとしても、それを周壁部よりも基板ボックス内部に導くことがきわめて困難となる。よって、基板ボックスと制御回路基板との間を通じて行われる外部からのリード線の接続などの不正行為を抑制することができる。
【００１９】
手段７．手段１乃至手段３のいずれかにおいて、前記基板ボックスに、前記開口部の周縁部分を前記制御回路基板側に折り曲げ形成して周壁部（周壁部２８３ｄ）を設け、さらに前記制御回路基板上における前記開口部を通じて露出される表面領域と前記配線パターンが形成された表面領域との間において前記周壁部と対向するようにして突出部を設け、
前記制御回路基板上における前記開口部を通じて露出される表面領域から前記突出部の位置までを含む範囲で配線パターンを形成しない構成としたことを特徴とする遊技機。
【００２０】
手段７によれば、制御回路基板上における開口部を通じて露出される表面領域と配線パターンが形成された表面領域との間において周壁部と対向するようにして突出部が設けられている。そして、制御回路基板上における開口部を通じて露出される表面領域から突出部の位置までの含む範囲で配線パターンが形成されていない。よって、基板ボックスと制御回路基板との間を通じて基板ボックス内にリード線などを差し入れ、それを配線パターンが形成された領域に導こうとしても突出部により遮られ、外部からのリード線の接続などの不正行為を抑制することができる。
【００２１】
手段８．手段１乃至手段３のいずれかにおいて、前記基板ボックスに、前記開口部の周縁部分を前記制御回路基板側に折り曲げ形成して周壁部（周壁部２８３ｄ）を設け、さらに前記制御回路基板上において前記周壁部を囲むようにして突出部（突出部２８９）を設け、
前記制御回路基板上における前記突出部により囲んだ範囲内で配線パターンを形成しない構成としたことを特徴とする遊技機。
【００２２】
手段８によれば、基板ボックスに設けた周壁部が、制御回路基板に設けた突出部により囲まれることになる。そして、制御回路基板上における突出部により囲んだ範囲内で配線パターンが形成されていない。よって、基板ボックスと制御回路基板との間を通じて基板ボックス内にリード線などを差し入れようとしても突出部により遮られ、外部からのリード線の接続などの不正行為を抑制することができる。
【００２３】
手段９．手段１乃至手段８のいずれかにおいて、前記基板ボックスは、前記制御回路基板上に実装された各種電気部品を収容するための収容部（収容部２８３ａ）と、該収容部よりも前記制御回路基板との間の間隔が狭小であり、且つ同制御回路基板と重なるようにして設けられる重なり部（重なり部２８３ｂ）とを備え、該重なり部に前記開口部を設けたことを特徴とする遊技機。
【００２４】
手段９では、収容部の内方には各種電気部品が収容され、制御回路基板に固定されたコネクタ部材は重なり部に設けられた開口部を通じて露出される。この場合、重なり部は制御回路基板との間の間隔が狭小であり収容部に対して低位であるため、コネクタ部材として比較的背の低いものを使用できる。これは、コネクタ部材の低コスト化や、基板ボックス及び制御回路基板から構成される制御回路基板装置の小型化を図る上で有利な構成となる。但し、この場合、重なり部は制御回路基板の表面との距離が短いため、開口部を介した外部からのリード線の接続などの不正行為を行い易くなる。これ対して、少なくとも開口部を通じて露出される制御回路基板の表面領域に配線パターンが形成されていないので当該不正行為を抑制することができ、重なり部に開口部を設けた効果を好適に引き出すことができる。
【００２５】
手段１０．手段１乃至手段９のいずれかにおいて、前記制御回路基板上に複数のコネクタ部材を並設する構成とし、そのうちの少なくとも２つのコネクタ部材について一の開口部によりまとめて露出させたことを特徴とする遊技機。
【００２６】
手段１０によれば、例えば隣り合う２つ又は３つのコネクタ部材について、一の開口部によりまとめて露出されているので、各コネクタ部材に対応させて開口部を形成する構成に比べ、開口部の形成の容易化を図ることができる。但し、当該構成においては、制御回路基板上における外部に露出する領域が広くなってしまう。これに対して、上記手段１等の構成を備えていることにより、制御回路基板上における外部に露出する領域が広くなった構成において、当該露出部分を通じた不正行為を抑制することができる。
【００２７】
手段１１．手段１乃至手段１０のいずれかにおいて、前記制御回路基板と前記コネクタ部材との間に、前記基板ボックスの開口部から前記制御回路基板が露出されないようにして介在部材（スペーサ部材２９１）を介在させたことを特徴とする遊技機。
【００２８】
手段１１によれば、制御回路基板とコネクタ部材との間に介在させて設けた介在部材により、開口部を通じて制御回路基板の表面が露出することことが規制される。これにより、基板ボックスの開口部を通じて行われる外部からのリード線の接続などの不正行為をより困難なものとすることができる。
【００２９】
手段１２．手段１１において、前記制御回路基板上に、接続ピン（接続ピン２８４）を半田付けすることでコネクタ部材を固定する構成とし、前記介在部材と前記制御回路基板との間に、少なくとも前記接続ピンの基板接続部を囲むようにしてこれら介在部材と制御回路基板を離間させる空間部（空間ＳＰ）を形成したことを特徴とする遊技機。
【００３０】
接続ピンを半田付けすることでコネクタ部材が制御回路基板上に固定される構成では、上記のとおり制御回路基板とコネクタ部材との間に介在部材を介在させた場合に、制御回路基板と介在部材との間の隙間が殆ど無くなって微小隙間になると、その微小隙間に半田が入り込み（すなわち、毛管現象によって半田が広がり）、それが原因で例えば複数の接続ピン間やその他の配線部分でショートが生じることが懸念される。これに対して、手段１２によれば、介在部材と制御回路基板との間に、少なくとも接続ピンの基板接続部（すなわち、半田付け部）を囲むようにしてこれら介在部材と制御回路基板を離間させる空間部を形成したため、制御回路基板と介在部材との間の毛管現象による半田の広がりが抑制できる。したがって、コネクタ部材における接続ピン間や他部位のショート不良が防止できる。
【００３１】
手段１３．遊技球が流下する遊技領域（遊技盤３０）と、該遊技領域に遊技球を打ち出すべく操作される操作部材（遊技球発射ハンドル１８）とを備え、
前記遊技領域に設けられた入賞口（一般入賞口３１、可変入賞装置３２、作動口３３）に遊技球が入球することにより遊技者に特典が付与される構成とし、
前記入賞口に遊技球が入球したか否かの入賞判定を行うための演算素子（主基板２８０のＣＰＵ５０１）を実装して前記制御回路基板を構成したことを特徴とする手段１乃至手段１２のいずれかに記載の遊技機。
【００３２】
手段１３によれば、いわゆるパチンコ機における、入賞判定を行うための演算素子を実装して構成された制御回路基板に対して、上記手段１等の効果を享受することができる。即ち、基板ボックスの開口部を通じて制御回路基板に対して不正を行い、入賞口に遊技球が入球していないにも関わらず特典を得ようとする不正行為を抑制することができる。
【００３３】
なお、所定の入賞口に遊技球が入球することにより抽選を行い、抽選の結果、当選となった場合に特別遊技状態を発生させる遊技機においては、制御回路基板は抽選を行うための演算素子を実装して構成されたものとする。この場合、上記手段１等の構成を備えていることにより、不正に特別遊技状態を発生させようとする行為を抑制することができる。
【００３４】
手段１４．遊技機前方から視認可能な位置に設けられ、複数種の絵柄が変動表示される複数の絵柄表示領域と、前記各絵柄表示領域における絵柄の変動表示を開始させるべく操作される始動操作手段と、前記各絵柄表示領域における絵柄の変動表示を停止させるべく操作される停止操作手段とを備え、
絵柄の変動表示の停止後に、前記各絵柄表示領域に表示されている絵柄により所定絵柄又は所定絵柄の組合せが成立していた場合には遊技者に特典が付与される構成とし、
前記所定絵柄又は前記所定絵柄の組合せを成立させることが可能か否かの抽選を行うための演算素子を実装して前記制御回路基板を構成したことを特徴とする手段１乃至手段１２のいずれかに記載の遊技機。
【００３５】
手段１４によれば、例えば、いわゆるスロットマシンといった停止操作手段を介して絵柄の変動表示を遊技者が停止可能とした遊技機における、抽選を行うための演算素子を実装して構成された制御回路基板に対して、上記手段１等の効果を享受することができる。即ち、基板ボックスの開口部を通じて制御回路基板に対して不正を行い、所定絵柄又は所定絵柄の組合せを成立させることが可能となる役に当選するようにして特典を得ようとする不正行為を抑制することができる。
【００３６】
手段１５．手段１乃至手段１４のいずれかにおいて、所定条件が満たされることにより遊技媒体の払い出しを行う払出手段（払出装置３５８）を備え、
該払出手段を制御するための払出制御用の演算素子を実装して払出制御用の前記制御回路基板を構成したことを特徴とする手段１乃至手段１４のいずれかに記載の遊技機。
【００３７】
手段１５によれば、払出制御用の演算素子を実装して構成された制御回路基板に対して、上記手段１等の効果を享受することができる。即ち、基板ボックスの開口部を通じて制御回路基板に対して不正を行い、遊技媒体の払い出しを受けようとする不正行為を抑制することができる。
【００３８】
なお、所定条件とは、いわゆるパチンコ機においては、入賞口に遊技球が入球することであり、いわゆるスロットマシンといった停止操作手段を介して絵柄の変動表示を遊技者が停止可能とした遊技機においては、絵柄の変動表示の停止後に、各絵柄表示領域に表示されている絵柄により所定絵柄又は所定絵柄の組合せが成立していることをいう。
【発明を実施するための最良の形態】
【００３９】
以下、遊技機の一種であるパチンコ遊技機（以下、「パチンコ機」という）に適用した場合のいくつかの実施形態について説明する。
【００４０】
（第１実施形態）
まず、第１実施形態について図面を用いて説明する。図１はパチンコ機１０の正面図、図２はパチンコ機１０の主要な構成を展開又は分解して示す斜視図、図３はパチンコ機１０を構成する本体枠１２の前面構成を示す正面図である。なお、図２、図３では便宜上、パチンコ機１０の遊技領域内の構成を空白としている。
【００４１】
図１〜図３に示すように、パチンコ機１０は、当該パチンコ機１０の外殻を形成する外枠１１を備えている。外枠１１は、遊技ホールへの設置の際に、いわゆる島設備に取り付けられる。外枠１１は、木製の板材を全体として矩形枠状に組み合わせた状態とされ、各板材を小ネジ等の離脱可能な締結部材により固定することによって構成されている。外枠１１を合成樹脂やアルミニウム等の金属によって構成することも可能である。
【００４２】
外枠１１の一側部には、本体枠１２が開閉可能に支持されている。その開閉軸線はパチンコ機１０の正面からみて左側に上下へ延びるように設定されており、その開閉軸線を軸心にして本体枠１２が前方側に開放できるようになっている。本体枠１２は合成樹脂、具体的にはＡＢＳ樹脂により構成されている。ＡＢＳ樹脂を用いることにより、比較的低コストで耐衝撃性の高い本体枠１２を得ることができる。本体枠１２をアルミニウム等の金属によって構成してもよい。なお本実施の形態では、外枠１１と本体枠１２とにより遊技機本体が構成されている。外枠１１に代わる構成として設置枠体を遊技ホール側に予め設けておき、遊技ホールへのパチンコ機１０の設置に際しては本体枠１２を前記設置枠体に組み付ける構成とすることも可能である。
【００４３】
本体枠１２の前面側の下部位置には、前面板１４が設けられている。前面板１４は横長状に形成され、その横幅は本体枠１２の横幅とほぼ一致するように構成されている。前面板１４は、幅方向ほぼ中央部において手前側へ膨出した膨出部１５ａを有するベース部１５と、ベース部１５の膨出部１５ａ内側に設けられ下方にくぼんだ皿形状をなす球受皿としての下皿１６と、下皿１６の奥側の壁面を構成する奥壁パネル１７とを備えている。ベース部１５は本体枠１２に対してネジ等の締結部材により固定されていることから、ベース部１５が本体枠１２に対する取付部を構成している。ベース部１５には膨出部１５ａよりも右方に、手前側へ突出するようにして遊技球発射ハンドル１８が設けられている。奥壁パネル１７には球排出口１７ａが設けられており、球排出口１７ａより排出された遊技球が下皿１６内に貯留されるようになっている。
【００４４】
ベース部１５の膨出部１５ａ前面側にはスライド式の球抜きレバー１９が設けられている。なお、球抜きレバー１９はプッシュ式としてもよい。そして、球抜きレバー１９が操作されると下皿１６の底面に設けられた図示しない閉鎖板が一体に又はリンクを介して移動して球抜き穴が開放され、下皿１６内の貯留球が下方に排出されるよう構成されている。球抜きレバー１９には球抜き穴を塞ぐ側へ球抜きレバー１９を付勢するコイルバネ等の付勢部材が設けられ、球抜きレバー１９の操作が解除された際には付勢部材の付勢力によって閉鎖板が球抜き穴の開放位置に復帰する構成となっている。奥壁パネル１７の球排出口１７ａとは異なる位置には、多数の小孔が集合したスピーカカバー部１７ｂが形成されており、当該パネル１７の後方に設置されたスピーカ２０の出力音がスピーカカバー部１７ｂを通じて前方に発せられるようになっている。
【００４５】
ベース部１５には膨出部１５ａの左方に灰皿２１が設けられている。灰皿２１は、内部に溜まった吸い殻等を除去しやすいように手前側下方に反転可能に取り付けられており、その右側面と背面とでベース部１５に対面している。具体的な図示は省略するが、灰皿２１の右側面には当該灰皿２１を回動可能な状態で片持ち支持するための支軸が設けられ、同背面には灰皿２１が図示のように上方に開口した位置でベース部１５に係止される係止部が設けられている。前面板１４はその大部分が本体枠１２と同様、ＡＢＳ樹脂にて成形されている。前面板１４はパチンコ機１０の前面側に露出されるが、ＡＢＳ樹脂で成形していることによって、装飾等の目的で表面の適宜箇所にメッキを施すことが可能となる。なお、灰皿２１が近くに配置されている関係上、下皿１６と奥壁パネル１７とを構成する部位に関しては難燃性のＡＢＳ樹脂を用い、仮に誤ってたばこ等を置いても燃えにくくなるよう構成することが好ましい。
【００４６】
本体枠１２の前面側の前面板１４を除く範囲には、本体枠１２を覆うようにして前面扉としての前扉枠１３が設けられている。従って、前面板１４と前扉枠１３とにより本体枠１２の前面側全体が覆われている。前扉枠１３は、本体枠１２に対して開閉可能に取り付けられており、本体枠１２と同様、パチンコ機１０の正面からみて左側に上下に延びる開閉軸線を軸心にして前方側に開放できるようになっている。なお、前扉枠１３は前面板１４と同様、ＡＢＳ樹脂にて成形されている。前扉枠１３はパチンコ機１０の前面側に露出されるが、ＡＢＳ樹脂で成形していることによって、装飾等の目的で表面の適宜箇所にメッキを施すことが可能となる。
【００４７】
前扉枠１３の下部位置には、下皿１６の上方において手前側へ膨出した膨出部２２が設けられ、その膨出部２２内側には上方に開口した上皿２３が設けられている。上皿２３は、後述する払出装置より払い出された遊技球を一旦貯留し、一列に整列させながら遊技球発射装置側へ導くための球受皿である。膨出部２２前面側には上皿２３用の球抜きレバー２４が設けられており、この球抜きレバー２４を操作すると上皿２３の最下流部付近に設けられた球抜き通路（図示略）が開放され、上皿２３内の貯留球が下皿１６へ排出されるようになっている。なお、上皿２３も下皿１６等と同様、難燃性のＡＢＳ樹脂にて構成することが可能である。
【００４８】
図３に示すように、本体枠１２は、外形が前記外枠１１とほぼ同一形状をなす樹脂ベース２５を主体に構成されており、樹脂ベース２５の中央部には略円形状の窓孔２６が形成されている。樹脂ベース２５の後側には遊技盤３０が着脱可能に装着されている。図４に示すように、遊技盤３０は略四角形状の合板よりなり、その周縁部が樹脂ベース２５の裏側に当接した状態で取着されている。すなわち、遊技盤３０はパチンコ機１０後方より取り付けられ、遊技盤３０の前面部の略中央部分だけが樹脂ベース２５の窓孔２６を通じて本体枠１２の前面側に露出した状態となっている。
【００４９】
次に、遊技盤３０の構成を図４に基づいて説明する。遊技盤３０には、ルータ加工が施されることによって前後方向に貫通する大小複数の開口部が形成されている。各開口部には一般入賞口３１、可変入賞装置３２、作動口３３、スルーゲート３４及び可変表示ユニット３５等がそれぞれ設けられている。実際には、一般入賞口３１、可変入賞装置３２、作動口３３、スルーゲート３４及び可変表示ユニット３５は木ねじ等により遊技盤表面に取り付けられている。本実施の形態では、可変表示ユニット３５が遊技盤３０の略中央に配置され、その下方に作動口３３が配置され、さらにその下方に可変入賞装置３２が配置されている。また、可変表示ユニット３５の左右両側にスルーゲート３４が配置され、遊技盤３０の下部両側に一般入賞口３１がそれぞれ複数配置されている。作動口３３には、所定の条件下で作動状態（開放状態）となる電動役物が付随的に設けられている。前記一般入賞口３１、可変入賞装置３２及び作動口３３に遊技球が入ると、それが後述する検出スイッチにより検出され、その検出結果に基づいて上皿２３（場合によっては下皿１６）に対し所定数の賞品球が払い出される。その他に、遊技盤３０の最下部にはアウト口３６が設けられており、各種入賞口等に入らなかった遊技球はアウト口３６を通って図示しない球排出路の方へと案内されるようになっている。アウト口３６は、遊技盤３０の下端略中央を逆Ｕ字状に切り欠いて形成されている。そのため、アウト口を穴状に形成していた従来構成に比べ、アウト口形成が容易となる（但し、図４では手前側にレールユニット５０が重ねて設けられているため、アウト口３６が閉じた状態で示されている）。また、遊技盤３０には、遊技球の落下方向を適宜分散、調整等するために多数の釘が植設されていると共に、風車３７等の各種部材（役物）が配設されている。
【００５０】
遊技盤３０の左右両側部には、組付相手である本体枠１２の左右両側からの張出領域との干渉を回避するように凹部としての切欠３８が複数箇所に形成されている。
【００５１】
可変表示ユニット３５には、作動口３３への入賞をトリガとして第１図柄（特別図柄）を変動表示する図柄表示装置４１が設けられている。可変表示ユニット３５には、図柄表示装置４１を囲むようにしてセンターフレーム４３が配設されている。このセンターフレーム４３は、その上部がパチンコ機１０前方に延出している。これにより、図柄表示装置４１の表示画面の前方を遊技球が落下していくのが防止されており、遊技球の落下により表示画面の視認性が低下するといった不都合が生じない構成となっている。センターフレーム４３の上部中央には、第１特定ランプ部４７及び第２特定ランプ部４８が横並びの状態で設けられている。また、これら両特定ランプ部４７，４８が配設された領域を挟むように、第１特定ランプ部４７及び図柄表示装置４１に対応した保留ランプ４４が設けられている。遊技球が作動口３３を通過した回数は最大４回まで保留され、保留ランプ４４の点灯によってその保留個数が表示されるようになっている。なお、保留ランプ４４は、図柄表示装置４１の一部で変動表示される構成等であっても良い。上述したように、センターフレーム４３の上部がパチンコ機１０前方に延出していることにより、保留ランプ４４、第１特定ランプ部４７及び第２特定ランプ部４８の視認性が遊技球の落下により阻害されない構成となっている。センターフレーム４３の下部には、第２特定ランプ部４８に対応した保留ランプ４６が設けられている。遊技球がスルーゲート３４を通過した回数は最大４回まで保留され、保留ランプ４６の点灯によってその保留個数が表示されるようになっている。なお、保留ランプ４６は、前記保留ランプ４４と同様に、図柄表示装置４１の一部で変動表示される構成等であっても良い。
【００５２】
図柄表示装置４１は８インチサイズの比較的大型の液晶ディスプレイを備えた液晶表示装置として構成されており、後述する表示制御装置により表示内容が制御される。図柄表示装置４１には、例えば左、中及び右に並べて第１図柄が表示され、これらの図柄が上下方向にスクロールされるようにして変動表示されるようになっている。そして、予め設定されている有効ライン上に所定の図柄の組合せが停止表示された場合には、大当たり発生となると共にそれ以降の遊技状態が特別遊技状態としての大当たり状態に移行することとなる。この図柄の変動表示については、後に詳細に説明することとする。なお、図柄表示装置４１は、８インチ以外の１０インチ，７インチ等の液晶ディスプレイを備えたもの、ワイドサイズのディスプレイを備えたもの、又はＣＲＴ，ドットマトリックス，７セグメント等その他のタイプにより表示画面を構成したものであってもよい。
【００５３】
第１特定ランプ部４７には、その内側に赤、緑、青の３色発光タイプのＬＥＤランプが配設されている。そして、作動口３３への入賞をトリガとして、所定の順序で発光色の切り替えが行われる。具体的には、作動口３３への入賞をトリガとして、赤色光が点灯され、その状態で所定時間が経過すると緑色光に発光色が切り替えられる。そして、緑色光が点灯された状態で前記所定時間が経過すると青色光に発光色が切り替えられる。その後、発光色の切り替え停止時期がくるまで、赤色、緑色、青色という順序で発光色の切り替えが繰り返し行われる。これにより、第１特定ランプ部４７には、赤色、緑色、青色が、この順序で繰り返し表示されることとなる。そして、最終的に赤色又は緑色が停止表示された場合には、大当たり発生となると共にそれ以降の遊技状態が大当たり状態に移行し、青色が停止表示された場合には、大当たり発生とならず大当たり状態に移行しない。また、本実施形態では、最終的に赤色で停止表示された場合と、最終的に緑色で停止表示された場合とで移行する大当たり状態が異なっており、後者の方がより遊技者に有利な大当たり状態に移行する。この発光色の切り替えに関しては、後に詳細に説明することとする。
【００５４】
一方、第２特定ランプ部４８には、その内側に赤、緑の２色発光タイプのＬＥＤランプが配設されている。この第２特定ランプ部４８は、スルーゲート３４の通過をトリガとして、所定の順序で発光色の切り替えが行われる。具体的には、遊技球がスルーゲート３４を通過すると、赤色光の点灯と緑色光の点灯とが交互に行われる。これにより、第２特定ランプ部４８には、赤色、緑色が交互に表示されることとなる。そして、赤色が停止表示された場合には、作動口３３に付随する電動役物が所定時間だけ開放状態となるよう構成されている。
【００５５】
可変入賞装置３２は、通常は遊技球が入賞できない又は入賞し難い閉状態になっており、大当たり状態に移行すると遊技球が入賞しやすい所定の開放状態に切り換えられるようになっている。より詳しくは、大当たり状態に移行すると、可変入賞装置３２が所定の開放状態となり、遊技球が入賞し易い状態となる。可変入賞装置３２の開放態様としては、所定時間（例えば３０秒間）の経過又は所定個数（例えば１０個）の入賞を１ラウンドとして、可変入賞装置３２内の継続入賞口への入賞を条件として次ラウンドへの移行条件成立とし、複数ラウンド（例えば１６ラウンド）を上限として可変入賞装置３２が繰り返し開放されるものが一般的である。
【００５６】
遊技盤３０には、遊技球発射装置から発射された遊技球を遊技盤３０上部へ案内するためのレール部材としてのレールユニット５０が取り付けられており、遊技球発射ハンドル１８の回動操作に伴い発射された遊技球はレールユニット５０を通じて所定の遊技領域に案内されるようになっている。レールユニット５０はリング状をなす樹脂成型品にて構成されており、より具体的には、摩擦抵抗を低減するべくフッ素配合のポリカーボネート樹脂が用いられている。レールユニット５０は、内外二重に設けられた内レール部５１と外レール部５２とを有する。内レール部５１は上方の約１／４ほどを除いて略円環状に形成され、外レール部５２は内レール部５１の上方開放領域を囲むようにかつ内レール５１の左側部と並行するように略半円環状に形成されている。
【００５７】
内レール部５１は、他の樹脂部分と一体成型され、遊技盤３０の面上にほぼ垂直に起立して設けられている。また、外レール部５２は、内レール部５１と同様に他の樹脂部分と一体成型され、遊技盤３０の面上にほぼ垂直に起立して設けられた支持部５２ａを有し、その支持部５２ａの内側面に、遊技球の飛翔をより滑らかなものとするための摺動プレート５２ｂが取り付けられている。摺動プレート５２ｂは、長尺状をなすステンレス製の金属帯よりなり、複数箇所で支持部５２ａに支持されている。かかる場合、内レール部５１と外レール部５２とにより誘導レールが構成され、これら各レール部５１，５２が所定間隔を隔てて対向する部分により球案内通路が形成されている。なお、内外のレール部５１，５２が対向する部位では、遊技盤３０との当接部５３により各レール部５１，５２が連結されており、球案内通路は手前側に開放した溝状に形成されている。
【００５８】
レールユニット５０において、前記球案内通路より遊技球が飛び出す部位（図４の左上部）には戻り球防止部材５４が取着され、該飛び出した遊技球の最大飛翔部分に対応する部位（図４の右上部）には返しゴム５５が取着されている。戻り球防止部材５４により、一旦球案内通路から遊技盤３０の上部へと飛び出した遊技球が球案内通路内に戻ってしまうといった事態が防止される。また、所定以上の勢いで発射された遊技球は返しゴム５５に当たり、遊技領域の中央寄りに跳ね返されるようになっている。
【００５９】
レールユニット５０の外周部には、外方へ張り出した円弧状のフランジ５６が形成されている。フランジ５６は、遊技盤３０に対する取付面を構成する。レールユニット５０が遊技盤３０に取り付けられる際には、遊技盤３０上にフランジ５６が当接され、その状態で、当該フランジ５６に形成された複数の透孔にネジ等が挿通されて遊技盤３０に対するレールユニット５０の締結がなされる。ここで、レールユニット５０の上下及び左右の各端部は略直線状に形成されている。つまり、レールユニット５０の上下及び左右の各端部においてはフランジ５６が切り落とされ、パチンコ機１０における有限の領域にてレール径の拡張、すなわち遊技盤３０上の遊技領域の拡張が図られるようになっている。レールユニット５０は、遊技盤３０上の遊技領域の最大幅となる位置が遊技盤３０の左右端位置に至るように配設されている。なお、レールユニット５０の球案内通路に対応する部位のなかでも特に遊技球の受け入れ部位に関しては、当該レールユニット５０を強固に取り付けて遊技球の飛びを安定させるべく、該当するフランジ５６が他よりも多い箇所（本実施の形態では３カ所、他は２カ所）でネジ止めされている。
【００６０】
内レール部５１及び外レール部５２間の球案内通路の入口には、同球案内通路の一部を閉鎖するようにして凸部５７が形成されている。凸部５７は、内レール部５１の外周部から下方へ延びるように形成され、遊技領域まで至らず球案内通路内を逆流してくるファール球をファール球通路７６（図３参照）に導く機能を有する。遊技盤３０の右下隅部及び左下隅部は、証紙等のシールやプレートを貼着するためのスペース（図のＳａ，Ｓｂ）となっており、この貼着スペースを確保するために、フランジ５６に切欠５８ａ，５８ｂが形成されている。証紙等のシールを遊技盤３０に直接貼り付ける構成とすることで、証紙等の不正な貼り直し等が行いにくいものとなっている。
【００６１】
遊技盤３０においてレールユニット５０よりも外方の左上部には、前後に貫通した中継端子孔５９が設けられており、この中継端子孔５９を通じて、遊技盤裏面に設置した中継端子板の接続コネクタ６０がパチンコ機１０前面側に露出されるようになっている。
【００６２】
図３の説明に戻り、前記樹脂ベース２５において、窓孔２６（遊技盤３０）の下方には、遊技球発射装置より発射された直後に遊技球を案内するための発射レール６１が取り付けられている。発射レール６１は、その後方の金属板６２を介して樹脂ベース２５に取付固定されており、所定の発射角度（打ち出し角度）にて直線的に延びるよう構成されている。従って、遊技球発射ハンドル１８の回動操作に伴い発射された遊技球は、まずは発射レール６１に沿って斜め上方に打ち出され、その後球案内通路を通じて遊技領域に案内される。ここで本実施の形態では、遊技球の発射位置を低くして発射レール６１の傾斜角度（発射角度）を既存のものよりも幾分大きくし（すなわち発射レール６１を立ち上げるようにし）、また発射レール６１を遊技球発射装置の発射位置から遊技領域の中央位置（アウト口３６）を越える位置まで延びるよう形成することで発射レール６１の長さを既存のものよりも長くして十分な長さの球誘導距離を確保するようにしている。これにより、遊技球発射装置から発射された遊技球をより安定した状態で球案内通路に案内できるようにしている。さらに打出球の安定化を図るべく、発射レール６１を設置した金属板６２を大型化すると共に該金属板６２を多数箇所（本実施の形態では１５〜２０カ所）でネジ止めしており、これにより発射レール６１が遊技盤３０に対して強固に位置決めされている。
【００６３】
発射レール６１と球案内通路との間には所定間隔の隙間があり、この隙間より下方にファール球通路７６が設けられている。従って、仮に遊技球発射装置から発射された遊技球が戻り球防止部材５４まで至らずファール球として球案内通路内を逆戻りする場合には、そのファール球がファール球通路７６を介して下皿１６に排出される。
【００６４】
ファール球が球案内通路内を逆流してくる際、その多くは外レール部５２に沿って流れ、外レール部５２の下端部に到達した時点で下方に落下するが、一部のファール球は球案内通路内で暴れ、内レール部５１側へ跳ね上がるものもある。この際、跳ね上がったファール球は、球案内通路入口の前記凸部５７に当たり、ファール球通路７６に誘導される。これにより、ファール球の全てがファール球通路７６に確実に案内され、ファール球と次に発射される遊技球との干渉が抑制される。
【００６５】
なお、詳しい図面の開示は省略するが、遊技球発射装置には、前扉枠１３側の球出口（上皿２３の最下流部より通じる球出口）から遊技球が１つずつ供給される。この際、本実施の形態では遊技球の発射位置を低くしたため、前扉枠１３側の球出口から前記発射位置への落差が大きくなるが、発射レール６１の発射基端部付近にはその右側と手前側にそれぞれガイド部材６３，６４を設置してある。これにより、前扉枠１３側の球出口から供給される遊技球が常に所定の発射位置にセットされ、安定した発射動作が実現できる。また、遊技球発射装置には、基端部を中心に回動可能に支持された打球槌が設けられ、打球槌の回動に伴い遊技球が発射されるが、打球槌に関して軽量化が望まれている。それ故、アルミニウム等の軽金属への材料変更や槌シャフト部寸法の縮小化により打球槌の軽量化を図る一方で、十分な発射力を確保すべく、打球槌のヘッド部（基端部と反対側の先端部）に重り部を設けている。これにより、十分でかつ安定した遊技球の発射が実現できる。打球槌の重り部を上方に突出して設けることにより、打球槌を容易に摘んだりひっかけたりすることができ、槌先の打球強さの調整等がし易くなるという効果も得られる。
【００６６】
また、本体枠１２の前面において発射レール６１の左側には、左右一対の排出口６６，６７が形成されると共に、その前方に、排出口６６，６７より排出された遊技球を上皿２３又は下皿１６の何れかに案内するための遊技球案内ユニット７０が取り付けられている。便宜上以下の説明では、排出口６６を第１排出口、排出口６７を第２排出口ともいう。これら排出口６６，６７は、本体枠１２の背面に設けられた遊技球分配部２４５（図１０参照）に通じており、基本的に第１排出口６６より遊技球の排出が行われ、この第１排出口６６も含め上皿２３に通じる通路が遊技球で一杯になると、第１排出口６６に代えて第２排出口６７より遊技球の排出が行われるようになっている。
【００６７】
遊技球案内ユニット７０は、ポリカーボネート樹脂等の透明な樹脂材料により内部を視認可能に構成され、本体枠１２に対して前扉枠１３を閉鎖した状態で本体枠１２と前扉枠１３との間に収まるよう厚みが比較的薄くなるように形成されている。遊技球案内ユニット７０には、前述のファール球通路７６が一体的に形成されている。遊技球案内ユニット７０には、前記排出口６６，６７と下皿１６とを連通するための球排出通路７１が形成されている。遊技球案内ユニット７０には、本体枠１２の第１排出口６６の手前側に、上皿２３に連通する連通口７２が形成され、連通口７２を閉鎖するようにして開閉プレート７３が取り付けられている。開閉プレート７３は支軸７４により回動可能に支持され、付勢手段としてのバネ７５により連通口７２を閉鎖する位置に常時付勢されている。
【００６８】
遊技球案内ユニット７０の上記構成によれば、前扉枠１３を開放した状態ではバネ７５の付勢力により開閉プレート７３が図示の如く起き上がり、連通口７２を閉鎖する。この状態では、第１排出口６６より排出される遊技球が球排出通路７１を通じて下皿１６に案内される。従って、連通口７２の上流側に遊技球が貯留されている状態で前扉枠１３を開放した場合、その貯留球は連通口７２よりこぼれ落ちることなく、球排出通路７１を通じて下皿１６に流下する。つまり、前飾り枠が省略され前扉枠１３に対して上皿２３が直接設けられる構成とした本パチンコ機１０にあっても、前扉枠１３の開放に際し連通口７２の上流側にある遊技球がこぼれ落ちてしまうといった不都合が防止できる。これに対し、前扉枠１３を閉鎖した状態では、前扉枠１３の裏面に設けられた球通路樋１３８（図２参照）によりバネ７５の付勢力に抗して開閉プレート７３が押し開けられる。この状態では、第１排出口６６より排出される遊技球が連通口７２を介して上皿２３に案内される。従って、連通口７２より上流側の遊技球は上皿２３に払い出される。なお、遊技球案内ユニット７０の球排出通路７１下流側には、下皿１６に排出された遊技球が一杯（満タン）になったことを検知する下皿満タンスイッチが取り付けられている。
【００６９】
樹脂ベース２５には、窓孔２６の右下部に略四角形状の小窓７８が設けられている。従って、遊技盤３０の右下隅部スペース（図４のＳａ）に貼られた証紙等は、この小窓７８を通じて視認できるようになっている。この小窓７８から遊技盤３０上に証紙等を直接貼り付けることも可能である。
【００７０】
樹脂ベース２５には、窓孔２６の左上部にも小窓７９が設けられている。この小窓７９は、図４で説明した遊技盤３０の中継端子孔５９に対応する位置にそれとほぼ同一の形状で設けられ、中継端子孔５９及び小窓７９を通じて、遊技盤裏面に設置した中継端子板の接続コネクタ６０が本体枠１２の前面側に露出される。かかる構成において、前扉枠１３側に設けた各種ランプに対しては、本体枠１２（樹脂ベース２５）の小窓７９より露出した接続コネクタ６０を介して電気的な接続がなされている。樹脂ベース２５の上部には、前扉枠１３の開放の状態を検出するための前扉枠開放スイッチ２７が設けられている。前扉枠開放スイッチ２７は、樹脂ベース２５の前面に出没可能なピンを有しており、本体枠１２に対して前扉枠１３を閉じた状態ではピンが押し込まれて前扉枠１３の閉鎖が検知され、本体枠１２に対して前扉枠１３を開いた状態ではピンが突出位置に戻って前扉枠１３の開放が検知されるようになっている。樹脂ベース２５の左右２カ所には、本体枠１２に対して前扉枠１３を閉じた際に前扉枠１３背面の金具類（図５に示す補強板１３１〜１３４）に接触し、且つその金具類を本体枠１２側に導通させてアース（接地）するための金属片２８ａ，２８ｂが取り付けられている。従って、金属片２８ａ，２８ｂを通じて、前扉枠１３背面の金具類が本体枠１２側の施錠装置やヒンジ金具に導通され、これら施錠装置やヒンジ金具と共にアースされる。
【００７１】
本体枠１２の左端側（開閉軸線側）には、前扉枠１３を開閉可能に支持するための支持機構として、上下一対の支持金具８１，８２が取り付けられている。上側の支持金具８１には手前側に切欠を有する支持孔８３が設けられ、下側の支持金具８２には上方へ突出する突起軸８４が設けられている。なお、支持金具８１，８２に支持される前扉枠１３の具体的構成については後述する。また、本体枠１２の右端側（開閉軸線とは反対側）には、前扉枠１３裏面側の開放端側に設けた上下一対の鉤金具１５５，１５６（図２参照）を挿入するための挿入孔８７，８８がそれぞれ設けられている。本パチンコ機１０では、本体枠１２や前扉枠１３を施錠状態とするための施錠装置が本体枠１２の裏面側に隠れて配置される構成となっている。従って、鉤金具１５５，１５６が挿入孔８７，８８を介して施錠装置に係止されることによって、前扉枠１３が本体枠１２に対して開放不能に施錠される。
【００７２】
本体枠１２の右下隅部には、外枠１１に対する本体枠１２の施錠及び解錠、並びに本体枠１２に対する前扉枠１３の施錠及び解錠を行うための鍵部材としてのシリンダ錠９１が設置されている。シリンダ錠９１は施錠装置に一体化されており、施錠装置のうちシリンダ錠９１だけが本体枠１２の前方に突出した状態で設けられている。この場合、シリンダ錠９１は、遊技領域の最大幅となる位置とは異なる位置に設けられている。シリンダ錠９１は、本体枠１２の施解錠と前扉枠１３の施解錠とを共に賄う機能を有しており、鍵穴に差し込んだキーを左（反時計回り方向）に回すと本体枠１２の施錠が解かれ、逆にキーを右（時計回り方向）に回すと前扉枠１３の施錠が解かれるようになっている。
【００７３】
図２に示すように、本体枠１２には、シリンダ錠９１を囲むようにして縦長状のカバー部材９２が取り付けられている。詳細な図示は省略するが、カバー部材９２には、その上端部及び下端部に係止部（フック）が形成されている。従って、上側の係止部を本体枠１２側に係止させると共に、下側の係止部を本体枠１２と前面板１４との間に挟み込むことにより、カバー部材９２が本体枠１２に取り付けられる。前扉枠１３には、カバー部材９２の形状に合わせて切欠部１４５が形成されており、前扉枠１３を閉鎖した状態ではこの前扉枠１３と共にカバー部材９２がパチンコ機前面部を構成する。なお、前扉枠１３を閉鎖したとき、カバー部材９２に形成された鍔部が前扉枠１３により押さえられ、カバー部材９２のがたつきが防止されるようになっている。
【００７４】
次に、前扉枠１３について図１，図５を参照しつつ説明する。なお、図５は、前扉枠１３の背面図である。
【００７５】
前扉枠１３には遊技領域のほぼ全域を前方から視認することができるようにした視認窓としての窓部１０１が形成されている。窓部１０１は、円形に近い略楕円形状をなし、より詳しくは、その左右側の略中央部が上下側に比べて緩やかに湾曲した形状となっている。なお、前記略中央部が直線状になる形状であってもよい。
【００７６】
前扉枠１３の下端部における左右両側には、本体枠１２表面や遊技盤３０表面等（証紙等を含む）の一部を視認できるよう透明樹脂を取り付けた小窓１０７が設けられている。小窓１０７に取り付けられる透明樹脂は、その内部の証紙等を工場等で容易に機械読み取りできるよう平坦状に構成される。但し、小窓１０７に、内部の証紙等をホール作業者等が容易に目視できるよう拡大レンズ部を設けることも可能である。
【００７７】
前扉枠１３にはその周囲（例えばコーナー部分）に各種ランプ等の発光手段が設けられている。これら発光手段は、大当たり状態下や所定のリーチ演出時等において点灯、点滅のように発光態様が変更制御されることにより、遊技中の演出効果を高める役割を果たす。例えば、窓部１０１の周縁に沿ってＬＥＤ等の発光手段を内蔵した環状電飾部１０２が左右対称に設けられ、環状電飾部１０２の中央であってパチンコ機１０の最上部にはＬＥＤ等の発光手段を内蔵した中央電飾部１０３が設けられている。本パチンコ機１０では、中央電飾部１０３が大当たりランプとして機能し、大当たり状態下で点灯や点滅を行うことにより大当たり状態に移行していることを報知する。また、上皿２３周りにも、同じくＬＥＤ等の発光手段を内蔵した上皿電飾部１０４が設けられている。その他、中央電飾部１０３の左右側方には、賞球払出中に点灯する賞球ランプ１０５と所定のエラー時に点灯するエラー表示ランプ１０６とがそれぞれ設けられている。なお、環状電飾部１０２は、内外二重の樹脂カバー層とその内側に収容された発射板付き発光体（ＬＥＤ）とよりなり、樹脂カバー層の各々の内側面には各層で縦横に交差する向きに突条（又は波状の突起）が設けられている。外側の樹脂カバー層は透明であり、内側の樹脂カバー層は有色である。従って、環状電飾部１０２を発光させれば、多数に分散化された状態、又は立体感を伴った状態の電飾が実現できるようになる。樹脂カバー層には、ガラス粉末入りの樹脂材料を用いると良い。このような樹脂カバー層の構成は、他の電飾部（例えば中央電飾部１０３や賞球ランプ１０５）に適用することもできる。
【００７８】
前扉枠１３には、窓部１０１の下方位置に、貸球操作部１２０が配設されている。貸球操作部１２０には球貸しボタン１２１と、返却ボタン１２２と、度数表示部１２３とが設けられている。パチンコ機１０の側方に配置されたカードユニット（球貸しユニット）に紙幣やカード等を投入した状態で、貸球操作部１２０によって球貸し操作、カード返却操作及びカード度数の確認を行うことができる。すなわち、球貸しボタン１２１は、カード等（記録媒体）に記録された情報に基づいて貸出球を得るために操作されるものであり、カード等に残額が存在する限りにおいて貸出球が払い出される。返却ボタン１２２は、カードユニットに挿入されたカード等の返却を求める際に操作される。度数表示部１２３はカード等の残額情報を表示するものである。なお、カードユニットを介さずに球貸し装置等から上皿に遊技球が直接貸し出されるパチンコ機（いわゆる現金機）では貸球操作部１２０が不要となるが、かかる場合には、貸球操作部１２０の設置部分に飾りシール等が付されるようになっている。これにより、貸球操作部１２０を設けた本パチンコ機１０の構成において、カードユニットを用いたパチンコ機（いわゆるＣＲ機）と現金機との共用が可能となる。
【００７９】
前扉枠１３の裏側には、窓部１０１を囲むようにして金属製の各種補強部材が設けられている。詳しくは、図５に示すように、前扉枠１３の裏側にあって窓部１０１の左右及び上下の外側にはそれぞれ補強板１３１，１３２，１３３，１３４が取り付けられている。これら補強板１３１〜１３４は相互に接触して連結されているが、図の左側及び上側の補強板１３２，１３３の連結部には直接の接触を避けるための樹脂パーツ１３５が介在されている。これにより、補強板１３１〜１３４による電気経路の閉じたループが切断され、ノイズの原因となる磁界の発生等が防止されている。
【００８０】
図５の右側となる開閉軸線側の補強板１３１にはその上端部及び下端部に、本体枠１２に対する組付機構として、組付金具１５１，１５２が取り付けられている。そして、本体枠１２側の支持金具８１，８２（図３参照）に対して前扉枠１３側の組付金具１５１，１５２が取り付けられている。すなわち、下側の組付金具１５２には下面に開口する軸穴が形成されており、その軸穴に下側の支持金具８２の突起軸８４が挿入される一方、上側の組付金具１５１の軸部が上側の支持金具８１の支持孔８３に挿入されることにより、本体枠１２に対して前扉枠１３が開閉可能に支持されている。また、同補強板１３１にはその中間位置にフック状をなす係合爪１３１ａが設けられており、この係合爪１３１ａは、前扉枠１３を閉じた状態で本体枠１２の孔部１２ａ（図３参照）に挿入されるように構成されている。これにより、上皿２３を含む形態で前扉枠１３を構成し、その上下の軸支間隔を長くした本パチンコ機１０においても、中間位置における前扉枠１３の浮き上がりが防止できる。それ故、前扉枠１３を浮かしての不正行為等が抑制されるようになっている。
【００８１】
図５の左側となる開閉軸線とは反対側の補強板１３２には鉤形状をなす上下一対の鉤金具１５５，１５６が取り付けられている。これら鉤金具１５５，１５６は、後方に延び、本体枠１２に設けた挿入孔８７，８８（図３参照）に対応するようにして設けられている。本体枠１２に対して前扉枠１３を閉鎖した際、鉤金具１５５，１５６が本体枠１２側の挿入孔８７，８８に挿入されて施錠装置により施錠状態とされるようになっている。
【００８２】
下側の補強板１３４には、前記発射レール６１に対向する位置に樹脂ケース１３６が取り付けられている。樹脂ケース１３６には、前記貸球操作部１２０用の回路基板が収容されている。樹脂ケース１３６の背面（図５に見える面）は平坦状をなし、前扉枠１３を閉じた際に発射レール６１の側壁を構成するようになっている。故に、発射レール６１から遊技球が前方にこぼれ落ちることが防止される。
【００８３】
下側の補強板１３４の一部を切り欠いた部位には、パチンコ機１０後方に向けて球通路樋１３８が設置されており、球通路樋１３８の少なくとも上方には、同じくパチンコ機１０後方に向けて延びる庇（ひさし）部１３９が設けられている。この場合、本体枠１２側に前扉枠１３を閉じた状態では、球通路樋１３８と庇部１３９との間に、本体枠１２側の連通口７２上辺に沿って延びる突条が入り込むようにして配置される。故に、球通路樋１３８より針金やフィルム等を侵入させて不正行為を行おうとしても、遊技領域にまで針金やフィルム等を侵入させることが非常に困難となる。結果として、針金やフィルム等を利用して行われる不正行為を防止することができる。
【００８４】
上述した補強板１３１〜１３４はガラス支持用の金枠としての機能も兼ね備えており、これら補強板１３１〜１３４の内側が後方に折り返されてガラス保持溝が形成されている。ガラス保持溝は前後に２列形成されており、矩形状をなす前後一対のガラス１３７が各ガラス保持溝にて保持される。これにより、２枚のガラス１３７が前後に所定間隔を隔てて取着されている。
【００８５】
前扉枠１３を閉じた状態にあっては、内外のレール部５１，５２間に形成された球案内通路の一部が前扉枠１３により覆い隠される構成となっている。それ故、球案内通路では手前側の開放部がガラス１３７で覆えない部分ができてしまう。かかる場合、例えば、遊技球発射装置より発射された遊技球が戻り球防止部材５４まで至らず戻ってくると、遊技球が球案内通路外に飛び出したり、外レール部５２とガラス１３７との間にできる隙間に挟まってしまうおそれがある。そこで本実施の形態では、前扉枠１３に、球案内通路の手前側開放部を被覆するためのレールカバー１４０を取り付けている。レールカバー１４０は略円弧状をなす板体であって、透明な樹脂により形成されている。レールカバー１４０は、その円弧形状が前記球案内通路の形状に対応しており、窓部１０１の周縁部に沿って、球案内通路の基端部から先端部近傍までの区間を覆うようになっている。特にレールカバー１４０の内径側の寸法・形状は内レール部５１のそれにほぼ一致する。また、レールカバー１４０の右端部（すなわち、レールカバー１４０を前扉枠１３に取着した図５の状態で右端となる部位）には、球案内通路がガラス１３７の側縁部からはみ出した部分を被覆するための被覆部１４１が設けられている。以上のレールカバー１４０の構成により、前扉枠１３が閉じられた状態においては、レールカバー１４０の裏面が球案内通路のほぼ全域を覆うこととなって、遊技球が球案内通路外に飛び出したり、外レール部５２とガラス１３７との間にできる隙間に挟まってしまうといった不具合の発生を防止することができる。
【００８６】
また、レールカバー１４０の下部裏側には、その内側縁に沿って円弧状に延び且つ後方へ向けて突出する突条１４２が形成されている。突条１４２は、前扉枠１３が閉じられた状態において、球案内通路内に入り込んだ状態で内レール部５１に重なり合うように配置される。従って、例えば前扉枠１３と本体枠１２との隙間から針金やフィルム等を侵入させて不正行為を行おうとしても、球案内通路の内側にある遊技領域にまで針金やフィルム等を侵入させることが非常に困難となる。その結果、針金やフィルム等を利用して行われる不正行為を防止することができる。なお、突条１４２をより広い範囲で、例えばレールカバー１４０の内側縁の全域に沿って形成する構成としても良く、かかる構成によれば、より広い範囲で針金やフィルム等を侵入させにくくなり、針金やフィルム等を利用して行われる不正行為をより確実に防止することができる。
【００８７】
次に、パチンコ機１０の背面の構成を説明する。なお、図６はパチンコ機１０の背面図、図７はパチンコ機１０の背面構成を主要部品毎に分解して示す分解斜視図である。
【００８８】
まず、パチンコ機１０の背面構成について全体の概要を説明する。パチンコ機１０の背面側には、各種制御装置（各種制御基板）が上下左右に並べられるようにして又は前後に重ねられるようにして配置されるとともに、遊技球を供給するための遊技球供給装置（払出機構）や樹脂製の保護カバー等が取り付けられている。本実施の形態では、各種制御装置を２つの取付台に分けて搭載して２つの制御基板ユニットを構成し、それら制御基板ユニットを個別に本体枠１２又は遊技盤３０の裏面に装着するようにしている。この場合、主制御装置２７１（主基板２８０）と音声ランプ制御装置２７２（音声ランプ制御基板）とを一方の取付台に搭載してユニット化すると共に、払出制御装置３１１（払出制御基板）、発射制御装置３１２（発射制御基板）及び電源装置３１３（電源基板）を他方の取付台に搭載してユニット化している。以下においては、便宜上、前者のユニットを「第１制御基板ユニット２０１」と称し、後者のユニットを「第２制御基板ユニット２０２」と称することとする。また、払出機構及び保護カバーも１ユニットとして一体化され、一般に樹脂部分を裏パックと称することもあるため、ここではそのユニットを「裏パックユニット２０３」と称する。各ユニット２０１〜２０３の詳細な構成については後述する。
【００８９】
第１制御基板ユニット２０１、第２制御基板ユニット２０２及び裏パックユニット２０３は、ユニット単位で何ら工具等を用いずに着脱できるよう構成されるとともに、一部に支軸部を設けて本体枠１２又は遊技盤３０の裏面に対して展開できる構成となっている。これは、各ユニット２０１〜２０３やその他構成が前後に重ねて配置された場合に隠れた部位を容易に確認することを可能とするための工夫でもある。実際には、図８の概略図に示すように、略Ｌ字状をなす第１制御基板ユニット２０１はパチンコ機１０のほぼ中央に配置され、その下方に第２制御基板ユニット２０２が配置されている。また、第１制御基板ユニット２０１に一部重複する領域に、裏パックユニット２０３が配置されている。
【００９０】
第１制御基板ユニット２０１にはパチンコ機１０の背面から見て左端部に支軸部Ｍ１が設けられ、その支軸部Ｍ１による軸線Ａを中心に第１制御基板ユニット２０１が回動可能となっている。また、第１制御基板ユニット２０１には、その右端部すなわち支軸部Ｍ１の反対側となる開放端側に、ナイラッチ（登録商標）等よりなる締結部Ｍ２が設けられると共に上端部に係止爪部Ｍ３が設けられており、これら締結部Ｍ２及び係止爪部Ｍ３によって第１制御基板ユニット２０１がパチンコ機１０本体の裏面に沿った状態に保持されるようになっている。また、第２制御基板ユニット２０２にはパチンコ機１０の背面から見て右端部に支軸部Ｍ４が設けられ、その支軸部Ｍ４による軸線Ｂを中心に第２制御基板ユニット２０２が回動可能となっている。また、第２制御基板ユニット２０２には、その左端部すなわち支軸部Ｍ４の反対側となる開放端側に、ナイラッチ等よりなる締結部Ｍ５が設けられており、この締結部Ｍ５によって第２制御基板ユニット２０２がパチンコ機１０本体の裏面に沿った状態に保持されるようになっている。さらに、裏パックユニット２０３にはパチンコ機１０の背面から見て右端部に支軸部Ｍ６が設けられ、その支軸部Ｍ６による軸線Ｃを中心に裏パックユニット２０３が回動可能となっている。また、裏パックユニット２０３には、その左端部すなわち支軸部Ｍ６の反対側となる開放端側にナイラッチ等よりなる締結部Ｍ７が設けられるとともに、上端部及び下端部にそれぞれ回動式の係止部Ｍ８，Ｍ９が設けられており、これら締結部Ｍ７及び係止部Ｍ８，Ｍ９によって裏パックユニット２０３がパチンコ機１０本体の裏面に沿った状態に保持されるようになっている。
【００９１】
各ユニット２０１〜２０３を回動可能に支持する支軸部Ｍ１，Ｍ４，Ｍ６は、各ユニット２０１〜２０３をパチンコ機１０の裏面から開いた状態で容易に取り外し可能なヒンジ構造となっている。簡単に説明すると、第１制御基板ユニット２０１については、締結部Ｍ２の締結及び係止爪部Ｍ３の係止を解除すると共に、当該ユニット２０１を軸線Ａを中心に回動させて展開し、その状態で持ち上げる。これにより、裏パックユニット２０３がない前提であれば、第１制御基板ユニット２０１を取り外すことができる。また、第２制御基板ユニット２０２については、締結部Ｍ５の締結を解除すると共に、当該ユニット２０２を軸線Ｂを中心に回動させて展開し、その状態で持ち上げる。これにより、第２制御基板ユニット２０２を取り外すことができる。さらに、裏パックユニット２０３については、締結部Ｍ７の締結及び係止部Ｍ８，Ｍ９の係止を解除すると共に、当該ユニット２０３を軸線Ｃを中心に回動させて展開し、その状態で持ち上げる。これにより、裏パックユニット２０３を取り外すことができる。
【００９２】
ここで、各ユニット２０１〜２０３の展開方向は同一でなく、第１制御基板ユニット２０１は、パチンコ機１０の背面から見て左開きになるのに対し、第２制御基板ユニット２０２及び裏パックユニット２０３は、同右開きになるよう構成されている。この場合、第１制御基板ユニット２０１は、裏パックユニット２０３に一部重複して設けられるため、裏パックユニット２０３を開かないことには第１制御基板ユニット２０１を取り外すことが不可能であり、さらに言うと、第１制御基板ユニット２０１及び裏パックユニット２０３が各々逆方向に展開する構成であるため、裏パックユニット２０３を所定角度以上に大きく開いた状態又は同ユニット２０３を取り外した状態でなければ第１制御基板ユニット２０１を取り外すことが不可能である。従って、第１制御基板ユニット２０１を取り外すことに着目すると、他のユニット２０２，２０３に比べて取り外しが困難な構成となっている。さらに、施錠装置をキー操作して外枠１１に対して本体枠１２を開放しなければ、裏パックユニット２０３を開くことができない構成となっているため、より一層第１制御基板ユニット２０１の取り外しが困難なものとなっている。より具体的な構成については後述する。
【００９３】
次に、本体枠１２及び遊技盤３０の裏面構成を説明する。なお、図９は本体枠１２に遊技盤３０を組み付けた状態でかつ前記各ユニット２０１〜２０３等を取り外した状態の構成を示す背面図、図１０は本体枠１２を後方より見た斜視図、図１１は遊技盤３０を後方より見た斜視図である。
【００９４】
遊技盤３０は、樹脂ベース２５に囲まれた四角枠状の設置領域に裏面側より設置され、本体枠１２に設けられた複数（本実施の形態では４カ所）の係止固定具２１１，２１２によって後方へ脱落しないように固定されている。係止固定具２１１，２１２は手動で回動操作することができ、固定位置（ロック位置）と固定解除位置（アンロック位置）とに切り換えることができるよう構成されている。図９にはロック状態を示す。左右３カ所の係止固定具２１１は金属片を折り曲げ形成したＬ型の金具であり、遊技盤３０の固定状態で本体枠１２の外方へ張り出さないよう構成されている。なお、下部１カ所の係止固定具２１２は合成樹脂製のＩ型の留め具である。
【００９５】
遊技盤３０の中央に配置される可変表示ユニット３５には、センターフレーム４３（図４参照）を背後から覆う合成樹脂製のフレームカバー２１３が後方に突出して設けられており、そのフレームカバー２１３の後端に、図柄表示装置４１と表示制御手段としての表示制御装置２１４とが前後に重ねられた状態で着脱可能に取り付けられている。フレームカバー２１３内には、センターフレーム４３に内蔵されたＬＥＤ等を駆動するためのＬＥＤ制御基板などが配設されている。
【００９６】
遊技盤３０の裏面には、可変表示ユニット３５を取り囲むようにして集合板ユニット２１５が設けられている。集合板ユニット２１５は、薄板状の枠体として例えばＡＢＳ樹脂等の合成樹脂により成形されるベースを有し、そのベース面が遊技盤３０の裏面に当接されるようにして取り付けられている。集合板ユニット２１５には、各種入賞口に入賞した遊技球を回収するための遊技球回収機構や、各種入賞口等への遊技球の入賞を検知するための入賞検知機構などが設けられている。
【００９７】
遊技球回収機構について説明すると、集合板ユニット２１５の下方には、前記一般入賞口３１、可変入賞装置３２、作動口３３の遊技盤開口部に対応し且つ下流側で１カ所に集合する回収通路２１６が形成されている。また、遊技盤３０の下方には、本体枠１２にポリカーボネート樹脂等の合成樹脂製の排出通路盤２１７が取り付けられており、排出通路盤２１７には排出球をパチンコ機１０外部の例えば遊技ホールの島設備等へ案内するための排出通路２１８が形成されている。従って、図９に仮想線で例示するように、一般入賞口３１等に入賞した遊技球は何れも集合板ユニット２１５の回収通路２１６を介して集合し、さらに排出通路盤２１７の排出通路２１８を介してパチンコ機１０外部に排出される。なお、アウト口３６も同様に排出通路２１８に通じており、何れの入賞口にも入賞しなかった遊技球も排出通路２１８を介してパチンコ機１０外部に排出される。上記構成では、遊技盤３０の下端面を境界にして、上方に集合板ユニット２１５（回収通路２１６）が、下方に排出通路盤２１７（排出通路２１８）が設けられており、排出通路盤２１７が遊技盤３０に対して前後方向に重複していない。従って、遊技盤３０を本体枠１２から取り外す際において、排出通路盤１７が遊技盤取り外しの妨げになるといった不都合が生じることもない。
【００９８】
なお、排出通路盤２１７は、パチンコ機１０前面の上皿２３の裏側に配置されており、上皿２３に至る球排出口（図２の球通路樋１３８）より針金やフィルム等を差し込み、さらにその針金やフィルム等を本体枠１２と排出通路盤２１７との隙間を通じて遊技領域側に侵入させるといった不正行為が考えられる。そこで、本パチンコ機１０では、図１０に示すように、排出通路盤２１７には、球通路樋１３８の上部位置に対応する高さ位置に、本体枠１２に重なり合うようにしてパチンコ機１０前方に延びるプレート２１９を設けた。従って、本体枠１２と排出通路盤２１７との隙間から針金やフィルム等を侵入させようとしてもそれがプレート２１９にて阻害され、遊技領域にまで針金やフィルム等を侵入させることが非常に困難となる。その結果、針金やフィルム等を利用して可変入賞装置３２を強制的に開放する等の不正行為を防止することができる。
【００９９】
入賞検知機構について説明すると、集合板ユニット２１５には、遊技盤３０表側の一般入賞口３１と対応する位置に入賞口スイッチ２２１が設けられ、可変入賞装置３２と対応する位置に特定領域スイッチ２２２及びカウントスイッチ２２３が設けられている。特定領域スイッチ２２２は、可変入賞装置３２へ入賞した遊技球が特定領域に入ったことを判定するスイッチである。特定領域とはラウンドの更新可否を判定するための領域であり、Ｖゾーンとも称されている。カウントスイッチ２２３は、可変入賞装置３２に入賞した遊技球の数をカウントするスイッチである。また、作動口３３に対応する位置には作動口３３への遊技球の入賞を検知する作動口スイッチ２２４が設けられ、スルーゲート３４に対応する位置にはスルーゲート３４の遊技球の通過を検知するゲートスイッチ２２５が設けられている。入賞口スイッチ２２１及びゲートスイッチ２２５は電気配線を通じて盤面中継基板２２６に接続され、特定領域スイッチ２２２及びカウントスイッチ２２３は大入賞口中継基板２２７に接続されている。そして、盤面中継基板２２６及び大入賞口中継基板２２７が主制御装置２７１に接続されている。作動口スイッチ２２４は中継基板を介さずに直接主制御装置２７１に接続されている。その他図示は省略するが、可変入賞装置３２には、大入賞口の開閉扉を開放するための大入賞口ソレノイドと、入賞球を特定領域かその他の領域に振り分けるための振分板を駆動する入賞球振分板ソレノイドとが設けられ、作動口３３には、それに付随する電動役物を開放するための作動口ソレノイドが設けられている。
【０１００】
上記入賞検知機構にて各々検出された検出結果は主制御装置２７１に取り込まれ、該主制御装置２７１よりその都度の入賞状況に応じた払出指令（遊技球の払出個数）が払出制御装置３１１に送信される。そして、払出制御装置３１１の出力により所定数の遊技球の払出が実行されるようになっている。ここで、従来のいわゆる証拠球方式では、各種入賞口に入賞した遊技球を入賞球処理装置に一旦集め、その入賞球処理装置で入賞球の存在を１つずつ順番に確認した上で払出を行うようにしていたが、本実施の形態のパチンコ機１０では、各種入賞口毎に遊技球の入賞を電気的に検知して払出が直ちに行われるようにしているため、払い出す遊技球が多量にあってもその払出をいち早く実施することが可能となるとともに、入賞球処理装置が不要となる。
【０１０１】
集合板ユニット２１５には、その右上部に盤用外部端子板２３０が設けられている。盤用外部端子板２３０には、第１図柄の変動が停止（確定）する毎に信号出力するための出力端子と、大当たり状態又は第１図柄の変動時間短縮時に信号出力するための出力端子と、大当たり状態下で信号出力するための出力端子とが設けられている。そして、これらの出力端子を通じて、遊技ホール側の管理制御装置に対して遊技（遊技盤３０側の状態）に関する信号が出力される。盤用外部端子板２３０は、取り外し容易な状態で集合板ユニット２１５に取り付けられている。なお、図９に示すように、本体枠１２裏側の左下部には、打球槌等を備えるセットハンドル２２８及び発射モータ２２９が設けられている。
【０１０２】
集合板ユニット２１５には、第１制御基板ユニット２０１を取り付けるための取付機構が設けられている。具体的には、この取付機構として、遊技盤３０の裏面から見て左下隅部には上下方向に延びる軸受け金具２３１が設けられ、この軸受け金具２３１には同一軸線上に上下一対の軸受け孔２３１ａが形成されている。また、遊技盤３０において、軸受け金具２３１の右方には上下一対の被締結孔（具体的にはナイラッチの取付孔）２３２が設けられ、軸受け金具２３１の上方には係止爪片２３３が設けられている。
【０１０３】
本体枠１２の裏面には、第２制御基板ユニット２０２や裏パックユニット２０３を取り付けるための取付機構が設けられている。具体的には、本体枠１２にはその右端部に長尺状の軸受け金具２３５が取り付けられている。この軸受け金具２３５は補強部材としても機能する。図１２に示すように、軸受け金具２３５は遊技盤３０よりも下方へ延びる長尺板状の金具本体２３６を有し、その金具本体２３６より後方へ起立させるようにして、下部２カ所に第２制御基板ユニット２０２用の軸受け部２３７が形成されると共に、上部２カ所に裏パックユニット２０３用の軸受け部２３８が形成されている。これら軸受け部２３７，２３８にはそれぞれ同軸の軸受け孔が形成されている。なお、第２制御基板ユニット２０２用の軸受け部２３７と裏パックユニット２０３用の軸受け部２３８とを各々個別の軸受け金具で構成することも可能である。その他、第２制御基板ユニット２０２用の取付機構として、本体枠１２には、遊技盤３０設置領域よりも下方左端部に上下一対の被締結孔（具体的には、ナイラッチの取付孔）２３９が設けられている。また、裏パックユニット２０３用の取付機構として、本体枠１２には、遊技盤３０設置領域の左端部に上下一対の被締結孔（具体的には、ナイラッチの取付孔）２４０が設けられている。本体枠１２において遊技盤３０の左上方、右寄り上方及び右寄り下方の各位置には、遊技盤３０との間に裏パックユニット２０３を挟み込んで支持するための回動式の固定具２４１，２４２，２４３がそれぞれ設けられている。なお、裏パックユニット２０３は、その上部に大量の遊技球を貯留することから、裏パックユニット２０３の上部を支持するための固定具２４１，２４２に関しては特に十分な強度を持つ構成とするのが望ましく、本実施の形態では回動式の固定具を用いている。
【０１０４】
上記の如く本体枠１２の左右一側部（図９では右側部）には長尺状の軸受け金具２３５が設けられる一方、本体枠１２の左右他側部（図９では左側部）には施錠装置が設けられている。施錠装置は、上下方向に延び本体枠１２に固定された基枠２４７と、その基枠２４７に対して上下方向に移動可能に組み付けられた長尺状の連動杆２４８とを備え、基枠２４７の下部に前記シリンダ錠９１が一体化されている。連動杆２４８は、シリンダ錠９１の操作により上下いずれかの方向に移動する。連動杆２４８には、鉤形状をなす上下一対の鉤金具２４９が設けられており、外枠１１に対して本体枠１２を閉鎖した際には、鉤金具２４９が外枠１１側の支持金具（図示略）に係止され、施錠装置により施錠状態とされるようになっている。この場合、シリンダ錠９１の操作によって連動杆２４８が上方向に移動すると、外枠１１に対する本体枠１２の施錠が解除される。逆に、シリンダ錠９１の操作によって連動杆２４８が下方向に移動すると、本体枠１２に対する前扉枠１３の施錠が解除される。
【０１０５】
なお、本体枠１２の左右側部に軸受け金具２３５と施錠装置（基枠２４７、連動杆２４８等）とが振り分けられる上記構成において、これら軸受け金具２３５及び施錠装置（基枠２４７、連動杆２４８等）を配置するための領域を残した幅となるようにして、本体枠１２に前記遊技盤３０が取り付けられている。
【０１０６】
本体枠１２の背面における遊技盤３０の右下部には、後述する払出機構より払い出される遊技球を上皿２３、下皿１６又は排出通路２１８の何れかに振り分けるための遊技球分配部２４５が設けられている。遊技球分配部２４５は、左側の開口部２４５ａが第１排出口６６を介して上皿２３に通じ、中央の開口部２４５ｂが第２排出口６７を介して下皿１６に通じ、右側の開口部２４５ｃが排出通路２１８に通じるように、各通路が形成されている。遊技球分配部２４５は、本体枠１２に対してネジ等により強固に取り付けられている。従って、遊技球分配部２４５の設置部位における浮き上がりが防止され、隙間から針金やフィルム等を侵入させることによる不正行為が防止できるようになっている。なお、本体枠１２の下端部には、奥壁パネル１７の裏側に設置されたスピーカ２０の背後を囲むための合成樹脂製のスピーカボックス２４６が取り付けられており、スピーカボックス２４６がスピーカ音を後方へ逃さないように機能することで低音域の音質改善が図られている。
【０１０７】
次に、第１制御基板ユニット２０１の構成を図１３〜図１８に基づいて説明する。図１３は第１制御基板ユニット２０１の正面図、図１４は第１制御基板ユニット２０１の斜視図、図１５は第１制御基板ユニット２０１の分解斜視図、図１６は第１制御基板ユニット２０１を裏面から見た分解斜視図である。また、図１７は、第１制御基板ユニット２０１を構成する主制御装置２７１についてコネクタ搭載部周辺の断面構成（図１３のＡ―Ａ線断面に相当）を示す断面図、図１８は、主制御装置２７１についてコネクタ搭載部周辺の断面構成（図１３のＢ−Ｂ線断面に相当）を示す断面図である。なお、図１８においては、説明の便宜上、主制御装置２７１の構成を簡略に示す。
【０１０８】
第１制御基板ユニット２０１は略Ｌ字状をなす取付台２５１を有し、取付台２５１に主制御装置２７１と音声ランプ制御装置２７２とが搭載されている。ここで、主制御装置２７１の構成について図１７〜図１８に基づいて詳しく説明する。
【０１０９】
主制御装置２７１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主基板２８０を具備しており、主基板２８０が透明樹脂材料等よりなる被包手段としての基板ボックス２７３に収容されて構成されている。
【０１１０】
主基板２８０は、絶縁体からなる板材の表面及び裏面に電気回路の配線パターンが形成され、その上に電子部品等が実装された基板である。主基板２８０の表面側には、基板周縁部に複数のコネクタ２８１が設けられている。
【０１１１】
コネクタ２８１は、絶縁性合成樹脂により直方体状に形成されており、底部に複数本の接続ピン２８４が設けられている。これら接続ピン２８４は、主基板２８０の上下に貫通するようにして形成された貫通穴２８６に挿通されており、主基板２８０の裏面側の回路に対して半田付けされている。この半田付けにより、主基板２８０に対してコネクタ２８１が固定されるとともに、主基板２８０上の配線パターンに対して電気的な接続がなされている。また、コネクタ２８１には図の上方に開放された端子差込穴２８１ａが設けられている。この端子差込穴２８１にはハーネス（配線束）Ｈ１のコネクタ端子Ｈ２が着脱可能に差し込まれる。これにより、ハーネスＨ１を介して主基板２８０と他の基板（払出制御基板や各種中継基板等）との電気的な接続がなされるようになっている。
【０１１２】
基板ボックス２７３は、略長方形板状をなすボックスベース２８２と、該ボックスベース２８２上に被さるようにして設けられるボックスカバー２８３とを備えている。ボックスカバー２８３は、主基板２８０上に実装された演算素子やメモリといったＩＣチップ等の電子部品を収容するための収容部２８３ａを有すると共に、収容部２８３ａよりも主基板２８０との間の間隔が狭小であり、且つ主基板２８０と重なるようにして平面状に延びる重なり部２８３ｂを有する。重なり部２８３ｂには、各コネクタ２８１の載置位置に対応させてそれぞれ開口部２８３ｃが設けられており、この開口部２８３ｃを通じて各コネクタ２８１が基板ボックス外部に露出し、ハーネスＨ１（コネクタ端子Ｈ２）との結合が可能となっている。また、重なり部２８３ｂは、基本的に主基板２８０と当接している（図１８参照）。但し、図１８において左側に位置するコネクタ２８１は他のコネクタに比べ背が高くなっている。これに伴って当該コネクタ２８１に対応する開口部２８３ｃの周りには、基板ボックスの厚さ方向（主基板２８０に向かう方向）に延びる周壁部２８３ｄが形成されており、周壁部２８３ｄの端部は主基板２８０と当接している（図１７等参照）。
【０１１３】
次に、コネクタ２８１の設置箇所を含む所定領域と、その周囲領域との配線の状況について、図１９を用いて説明する。図１９は、主制御装置２７１についてコネクタ搭載部周辺の電気配線にかかる構成を説明するための図である。
【０１１４】
主基板２８０には、その表面側に表面側配線ＬＮ１が形成されている。表面側配線ＬＮ１は主基板２８０に形成されたスルーホール２８０ａを介して、主基板２８０の裏面側に形成された裏面側配線ＬＮ２に接続されている。裏面側配線ＬＮ２は、コネクタ２８１の接続ピン２８４に電気的に接続されている。この場合に、スルーホール２８０ａは、主基板２８０におけるボックスカバー２８３の開口部２８３ｃを通じて露出される領域よりも外側に配置されている。よって、表面側配線ＬＮ１はボックスカバー２８３に形成された開口部２８３ｃを通じて露出されない構成となっている。主基板２８０の表面の一部が開口部２８３ｃを通じて露出された構成では開口部２８３ｃを介して主基板２８０の表面側配線ＬＮ１に外部からリード線を接続し、そのリード線を介して出力される不正信号によりパチンコ機１０を誤動作させるなどの不正行為が行われることが考えられる。これに対して、上記のように、開口部２８３ｃを通じて露出される領域に表面側配線ＬＮ１を形成しない構成とすることにより、上記不正行為を抑制することができる。
【０１１５】
また、主基板２８０における開口部２８３ｃを通じて露出される領域の裏面側に裏面側配線ＬＮ２が形成されていることにより、配線パターンの形成領域が確保され、さらには配線パターンへのコネクタ２８１の接続が確保されている。
【０１１６】
基板ボックス２７３のボックスベース２８２とボックスカバー２８３とは封印手段としての封印ユニット２７４によって開封不能に連結され、これにより基板ボックス２７３が封印されている。
【０１１７】
封印ユニット２７４はボックスベース２８２とボックスカバー２８３とを開封不能に連結する構成であれば任意の構成が適用できるが、ここでは図１４等に示すように、５つの封印部材が連結された構成となっており、この封印部材の長孔に係止爪を挿入することでボックスベース２８２とボックスカバー２８３とが開封不能に連結されるようになっている。封印ユニット２７４による封印処理は、その封印後の不正な開封を防止し、また万一不正開封が行われてもそのような事態を早期に且つ容易に発見可能とするものであって、一旦開封した後でも再度封印処理を行うこと自体は可能である。すなわち、封印ユニット２７４を構成する５つの封印部材のうち、少なくとも一つの封印部材の長孔に係止爪を挿入することにより封印処理が行われる。そして、収容した主基板２８０の不具合発生の際や主基板２８０の検査の際など基板ボックス２７３を開封する場合には、係止爪が挿入された封印部材と他の封印部材との連結を切断する。その後、再度封印処理する場合は他の封印部材の長孔に係止爪を挿入する。基板ボックス２７３の開封を行った旨の履歴を当該基板ボックス２７３に残しておけば、基板ボックス２７３を見ることで不正な開封が行われた旨が容易に発見できる。
【０１１８】
音声ランプ制御装置２７２は、例えば主制御装置２７１（主基板２８０）又は表示制御装置２１４からの指示に従い音声やランプ表示の制御を司るＣＰＵや、その他ＲＯＭ、ＲＡＭ、各種ポート等を含む音声ランプ制御基板を具備しており、音声ランプ制御基板が透明樹脂材料等よりなる基板ボックス２７５に収容されて構成されている。音声ランプ制御装置２７２上には電源中継基板２７６が搭載されており、電源装置３１３の電源が電源中継基板２７６を介して表示制御装置２１４及び音声ランプ制御装置２７２に供給されるようになっている。
【０１１９】
取付台２５１は、ポリカーボネート樹脂等の合成樹脂製であり、例えば緑や青等に着色されて不透明とされている。但し、取付台２５１は無色透明又は半透明であってもよい。取付台２５１の表面には平坦状をなす２つの基板搭載面２５２，２５３が設けられている。これら基板搭載面２５２，２５３は縦横に直交する向きに延び、前後方向に段差をもって形成されている。基板搭載面２５２の上縁部及び下縁部にはそれぞれ、基板搭載面２５２より起立した起立部２５４が一体成形されている。そして、横長の基板搭載面２５２上に主制御装置２７１が配置されると共に、縦長の基板搭載面２５３上に音声ランプ制御装置２７２が配置される。このとき、主制御装置２７１は、上下の側部が起立部２５４にて支えられる。また、音声ランプ制御装置１７２は、複数箇所でネジ等により基板搭載面２５３に固定される。
【０１２０】
ここで、図１５及び図１６に示すように、基板搭載面２５２には、左右２カ所に横長形状の貫通孔２５６が形成されている。一方、主制御装置２７１の基板ボックス２７３には、その裏面の左右２カ所に回動操作式の固定具２７７が設けられている。主制御装置２７１を基板搭載面２５２に搭載する際には、基板搭載面２５２の貫通孔２５６に固定具２７７が挿通されるように主制御装置２７１を載置し、その状態で固定具２７７を回動操作することで主制御装置２７１がロックされる。従って、主制御装置２７１は第１制御基板ユニット２０１の裏面側から固定具２７７をロック解除しなければ取り外しできないため、基板取り外し等の不正行為に対して抑止効果が得られる。
【０１２１】
また、取付台２５１において、主制御装置２７１用の基板搭載面２５２の下方には、基板搭載面２５２の裏面空間に通じる開口を遮蔽するための遮蔽部２５７が設けられている。従って、基板搭載面２５２の下方より取付台２５１の裏面に手などを差し入れることが阻止され、固定具２７７のロック状態を不正に解除することができないようになっている。また、第１制御基板ユニット２０１をパチンコ機１０裏面に搭載した状態では、当該ユニット２０１の上部が裏パックユニット２０３により覆われるため、やはり取付台２５１の裏面に手などを差し入れることが阻止され、固定具２７７のロック状態を不正に解除することができないようになっている。
【０１２２】
前述した通り、第１制御基板ユニット２０１は、裏パックユニット２０３を所定角度以上に大きく開いた状態又は同ユニット２０３を取り外した状態でなければ取り外すことが不可能であり、また、施錠装置を正しくキー操作して外枠１１に対して本体枠１２を開放しなければ、裏パックユニット２０３を開くことができない構成となっている。つまり、本体枠１２を開くことができなければ、結果的に第１制御基板ユニット２０１を回動させたり取り外すことができず、ひいては主制御装置２７１の取り外しも不可能となる。それ故、主制御装置２７１の不正な載せ替えや盗難等を効果的に防止することができる。
【０１２３】
主制御装置２７１は、パチンコ機１０裏面から見て手前側に配置され、音声ランプ制御装置２７２はその奥側に配置される。この場合、基板搭載面２５２，２５３が前後方向に段差をもって形成されているため、これら基板搭載面２５２，２５３に主制御装置２７１及び音声ランプ制御装置２７２を搭載した状態において各制御装置２７１，２７２はその一部を前後に重ねて配置される。つまり、図１４等にも見られるように、主制御装置２７１はその一部（本実施の形態では１／３程度）が浮いた状態で配置される。故に、主制御装置２７１に重なる領域まで音声ランプ制御装置２７２を拡張することが可能となり、また別の見方をすれば音声ランプ制御装置２７２に重なる領域まで主制御装置２７１を拡張することが可能となり、パチンコ機１０という限られた大きさの中にあっても、各制御基板２７１，２７２の大型化に良好に対処できるとともに、各制御装置２７１，２７２を効率良く設置できる。また、第１制御基板ユニット２０１を遊技盤３０に装着した状態では、基板搭載面２５２の後方にスペースが確保され、可変入賞装置３２やその電気配線等が無理なく設置できるようになっている。なお、基板搭載面２５２の裏面には格子状のリブ２５８が設けられており、主制御装置２７１の支持強度が高められている。
【０１２４】
取付台２５１の左端面には上下一対の掛止ピン２６１が設けられており、この掛止ピン２６１を前記軸受け金具２３１に取り付けることで、第１制御基板ユニット２０１が遊技盤３０に対して回動可能に片持ち支持される。取付台２５１の右端部には前記被締結孔２３２にはめ込まれる締結具として上下一対のナイラッチ２６２が設けられている。取付台２５１の上端部には前記係止爪片２３３が係止される長孔２６３が設けられている。従って、ナイラッチ２６２を被締結孔２３２にはめ込むと共に、長孔２６３に係止爪片２３３を係止させることで、第１制御基板ユニット２０１が遊技盤３０に固定される。なお、軸受け金具２３１及び掛止ピン２６１が前記支軸部Ｍ１に、被締結孔２３２及びナイラッチ２６２が前記締結部Ｍ２に、係止爪片２３３及び長孔２６３が前記係止爪部Ｍ３に、それぞれ相当する。
【０１２５】
次に、第２制御基板ユニット２０２の構成を図２０〜図２２に基づいて説明する。図２０は第２制御基板ユニット２０２の正面図、図２１は同ユニット２０２の斜視図、図２２は同ユニット２０２の分解斜視図である。
【０１２６】
第２制御基板ユニット２０２は横長形状をなす取付台３０１を有し、取付台３０１に払出制御装置３１１、発射制御装置３１２、電源装置３１３及びカードユニット接続基板３１４が搭載されている。払出制御装置３１１及び発射制御装置３１２は制御の中枢をなすＣＰＵや、その他ＲＯＭ、ＲＡＭ、各種ポート等を含む制御基板を具備している。払出制御装置３１１の払出制御基板により、賞品球や貸出球の払出が制御される。発射制御装置３１２の発射制御基板により、遊技者による遊技球発射ハンドル１８の操作に従い発射モータ２２９の制御が行われる。また、電源装置３１３の電源基板により、各種制御装置等で要する所定の電源電圧が生成され出力される。カードユニット接続基板３１４は、パチンコ機前面の貸球操作部１２０及び図示しないカードユニットに電気的に接続され、主として遊技者による球貸し操作の指令を取り込んでそれを払出制御装置３１１に出力するものである。なお、カードユニットを介さずに球貸し装置等から上皿に遊技球が直接貸し出される現金機では、カードユニット接続基板３１４は不要である。
【０１２７】
上記払出制御装置３１１、発射制御装置３１２、電源装置３１３及びカードユニット接続基板３１４は、透明樹脂材料等よりなる基板ボックス３１５，３１６，３１７，３１８にそれぞれ収容されて構成されている。特に、払出制御装置３１１では、主制御装置２７１と同様、被包手段を構成する基板ボックス３１５がボックスベースとボックスカバーとを備え、それらが封印手段としての封印ユニット３１９によって開封不能に連結され、これにより基板ボックス３１５が封印されている。払出制御装置３１１には状態復帰スイッチ３２１が設けられている。例えば、後述する払出モータの球詰まり等、払出エラーの発生時において状態復帰スイッチ３２１が押されると、払出モータが正逆回転され、球詰まりの解消（正常状態への復帰）が図られるようになっている。電源装置３１３にはＲＡＭ消去スイッチ３２３が設けられている。本パチンコ機１０は各種データのバックアップ機能を有しており、万一停電が発生した際でも停電時の状態を保持し、停電からの復帰（復電）の際には停電時の状態に復帰できるようになっている。従って、例えば遊技ホールの営業終了の場合のように通常手順で電源を遮断すると遮断前の状態が記憶保持されるが、ＲＡＭ消去スイッチ３２３を押しながら電源を投入すると、ＲＡＭデータが初期化されるようになっている。
【０１２８】
取付台３０１は例えば無色透明な樹脂成型品よりなり、その表面に平坦状をなす基板搭載面３０２が設けられている。基板搭載面３０２には、発射制御装置３１２、電源装置３１３及びカードユニット接続基板３１４が横並びとなった状態で搭載され、ネジ等で固定されている。電源装置３１３の基板ボックス３１７上には略平板状の台座プレート３０３が載置されるとともに台座プレート３０３上に払出制御装置３１１が搭載され、ネジ等で固定されている。払出制御装置３１１と電源装置３１３との間には台座プレート３０３が介在するため、例えばノイズ除去用の金属プレート等を設置するには台座プレート３０３に金属プレート等を取り付ければ良く、ノイズ対策が簡単に実現できる。
【０１２９】
取付台３０１には、パチンコ機１０後方からみて右端部に上下一対の掛止ピン３０５が設けられており、掛止ピン３０５を前記軸受け部２３７に上方から挿通させることで、第２制御基板ユニット２０２が本体枠１２に対して回動可能に片持ち支持される。取付台３０１の左端部には締結具として上下一対のナイラッチ３０６が設けられており、ナイラッチ３０６を前記被締結孔２３９にはめ込むことで、第２制御基板ユニット２０２が本体枠１２に固定される。なお、軸受け部２３７及び掛止ピン３０５が前記支軸部Ｍ４に、被締結孔２３９及びナイラッチ３０６が前記締結部Ｍ５に、それぞれ相当する。
【０１３０】
次に、裏パックユニット２０３の構成を図２３及び図２４に基づいて説明する。図２３は裏パックユニット２０３の正面図、図２４は裏パックユニット２０３の分解斜視図である。
【０１３１】
裏パックユニット２０３は、裏パック３５１と遊技球の払出機構部３５２とが一体化されることにより構成されている。裏パック３５１は例えばＡＢＳ樹脂等の合成樹脂により一体成型されており、略平坦状のベース部３５３と、パチンコ機１０後方に突出し横長の略直方体形状をなす保護カバー部３５４とを有する。保護カバー部３５４は左右側面及び上面が閉鎖され且つ下面のみが開放された形状をなし、少なくとも可変表示ユニット３５を囲むのに十分な大きさを有する。但し、本実施の形態では、前述の音声ランプ制御装置２７２も併せて囲む構成となっている。保護カバー部３５４の背面には多数の通気孔３５４ａが設けられている。通気孔３５４ａは各々が長孔状をなし、それぞれの通気孔３５４ａが比較的近い位置で隣り合うよう設けられている。従って、隣り合う通気孔３５４ａ間にある樹脂部分を切断することにより、裏パック３５１の背面を容易に開口させることができる。つまり、通気孔３５４ａ間の樹脂部分を切断してその内部の表示制御装置２１４等を露出させることで、所定の検定等を容易に実施することができるようになっている。
【０１３２】
裏パック３５１のベース部３５３には、保護カバー部３５４を迂回するようにして払出機構部３５２が配設されている。すなわち、裏パック３５１の最上部には上方に開口したタンク３５５が設けられており、タンク３５５には遊技ホールの島設備から供給される遊技球が逐次補給される。タンク３５５の下方には、例えば横方向２列（２条）の球通路を有し下流側に向けて緩やかに傾斜するタンクレール３５６が連結され、タンクレール３５６の下流側には上下方向に延びるケースレール３５７が連結されている。払出装置３５８はケースレール３５７の最下流部に設けられ、払出制御装置３１１の制御により払出モータ３５８ａが駆動されて必要個数の遊技球の払出が適宜行われる。払出装置３５８より払い出された遊技球は払出通路３５９等を通じて前記上皿２３等に供給される。なお、図示は省略するが、ケースレール３５７の上流部には、タンク３５５やタンクレール３５６から供給される遊技球の有無を検出するタンク球無しセンサが設けられている。また、払出装置３５８には、払出モータ３５８ａの回転を検出する払出回転センサと、払い出される遊技球数をカウントする払出カウントスイッチとが設けられている。
【０１３３】
タンクレール３５６には、当該タンクレール３５６に振動を付加するためのバイブレータ３６０が取り付けられている。バイブレータ３６０は、バイブモータとそのバイブモータを収容する合成樹脂製のケースとによりユニット化されており、２本の脚部３６０ａでタンクレール３５６に取り付けられている。従って、仮にタンクレール３５６付近で球詰まりが生じた際、バイブレータ３６０が駆動されることで球詰まりが解消されるようになっている。
【０１３４】
また、払出機構部３５２には、払出制御装置３１１から払出装置３５８への払出指令の信号を中継する払出中継基板３８１が設置されると共に、外部より主電源を取り込むための電源スイッチ基板３８２が設置されている。電源スイッチ基板３８２には、電圧変換器を介して例えば交流２４ボルトの主電源が供給され、電源スイッチ３８２ａの切替操作により電源ＯＮ又は電源ＯＦＦとされるようになっている。
【０１３５】
タンク３５５から払出通路３５９に至るまでの払出機構部３５２は何れも導電性を有する合成樹脂材料、例えば導電性ポリカーボネート樹脂にて成形され、その一部にてアースされている。これにより、遊技球の帯電によるノイズの発生が抑制されるようになっている。
【０１３６】
裏パック３５１には、その右上部に枠用外部端子板３９０が設けられている。枠用外部端子板３９０には、タンク３５５やタンクレール３５６で遊技球が不足した場合に信号出力するための出力端子、所定個数の賞球を払い出す毎に信号出力するための出力端子、所定個数の遊技球を貸し出す毎に信号出力するための出力端子、本体枠１２の開放時に信号出力するための出力端子、及び前扉枠１３の開放時に信号出力するための出力端子が設けられている。そして、これらの出力端子を通じて、遊技ホール側の管理制御装置に対して枠側の状態に関する信号が出力される。なお、所定個数の遊技球を貸し出す毎に信号出力するための出力端子はいわゆる現金機においては不要である。
【０１３７】
裏パック３５１には、枠用外部端子板３９０に隣接して略四角形状の窓部３９１が設けられている。従って、裏パックユニット２０３を本体枠１２に取り付けた状態では、窓部３９１を通じて遊技盤３０裏面の盤用外部端子板２３０が露出し、裏パックユニット２０３を装着したままで盤用外部端子板２３０の操作を行うことができるようになっている。前述のとおり、盤用外部端子板２３０は取り外し容易な状態で集合板ユニット２１５に取り付けられていることから、盤用外部端子板２３０の配線を接続したままで、窓部３９１を介して当該盤用外部端子板２３０を取り出すことも可能となる。裏パック３５１の右上部には本体枠１２の開放の状態を検出するための本体枠開放スイッチ３９２が設けられており、外枠１１に対して本体枠１２を閉じた状態では当該スイッチ３９２の金属接点が閉じて本体枠１２の閉鎖が検知され、外枠１１に対して本体枠１２を開いた状態では金属接点が開いて本体枠１２の開放が検知されるようになっている。
【０１３８】
裏パック３５１には、パチンコ機１０後方からみて右端部に上下一対の掛止ピン３８５が設けられており、掛止ピン３８５を前記軸受け部２３８に上方から挿通させることで、裏パックユニット２０３が本体枠１２に対して回動可能に片持ち支持される。裏パック３５１には、左端部に締結具として上下一対のナイラッチ３８６が設けられると共に、上端部に係止孔３８７が設けられており、ナイラッチ３８６を前記被締結孔２４０にはめ込むと共に、係止孔３８７に前記固定具２４２を挿入した上で当該固定具２４２を回動操作することで、裏パックユニット２０３が本体枠１２に固定される。また、前記固定具２４１，２４３によっても裏パックユニット２０３が本体枠１２に固定される。なお、軸受け部２３８及び掛止ピン３８５が前記支軸部Ｍ６に、被締結孔２４０及びナイラッチ３８６が前記締結部Ｍ７に、固定具２４２及び係止孔３８７が前記係止部Ｍ８に、それぞれ相当する。また、固定具２４３が前記係止部Ｍ９に相当する。
【０１３９】
次に、本パチンコ機１０の電気的構成について、図２５のブロック図に基づいて説明する。
【０１４０】
主制御装置２７１（主基板２８０）には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するためのメモリであるＲＡＭ５０３と、時間計数や同期を図る場合などに使用されるクロックパルス発生回路やタイマ回路、割込回路、データ送受信回路などの各種回路が内蔵されている。
【０１４１】
ＲＡＭ５０３は、パチンコ機１０の電源の遮断後においても電源装置３１３からバックアップ電圧が供給されてデータを保持（バックアップ）できる構成となっており、ＲＡＭ５０３には、各種のデータ等を一時的に記憶するためのメモリやエリアの他に、バックアップエリア５０３ａが設けられている。
【０１４２】
バックアップエリア５０３ａは、停電などの発生により電源が遮断された場合において、電源遮断時（停電発生時を含む。以下同様）のスタックポインタや、各レジスタ、Ｉ／Ｏ等の値を記憶しておくためのエリアであり、電源投入時（停電解消による電源投入を含む。以下同様）には、バックアップエリア５０３ａの情報に基づいてパチンコ機１０の状態が電源遮断前の状態に復帰できるようになっている。バックアップエリア５０３ａへの書き込みはＮＭＩ割込み処理によって電源遮断時に実行され、バックアップエリア５０３ａに書き込まれた各値の復帰は電源投入時のメイン処理において実行される。なお、ＣＰＵ５０１のＮＭＩ端子（ノンマスカブル割込端子）には、停電等の発生による電源遮断時に、停電監視回路５４２からの停電信号ＳＧ１が入力されるように構成されており、停電の発生により停電時処理としてのＮＭＩ割込み処理が即座に実行される。
【０１４３】
主制御装置２７１のＣＰＵ５０１には、アドレスバス及びデータバスで構成されるバスライン５０４を介して入出力ポート５０５が接続されている。主制御装置２７１の入力側には、後述するＲＡＭ消去スイッチ回路５４３、払出制御装置３１１や、その他図示しないスイッチ群や中継基板などが接続されている。一方、主制御装置２７１の出力側には、払出制御装置３１１や表示制御装置２１４が接続されている。また、第１特定ランプ部４７に配設されたＬＥＤランプのスイッチや第２特定ランプ部４８に配設されたＬＥＤランプのスイッチも接続されている。これにより、第１特定ランプ部４７及び第２特定ランプ部４８は、主制御装置２７１により直接的に制御されることとなる。
【０１４４】
払出制御装置３１１は、払出モータ３５８ａにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【０１４５】
払出制御装置３１１のＲＡＭ５１３は、主制御装置２７１のＲＡＭ５０３と同様に、パチンコ機１０の電源の遮断後においても電源装置３１３からバックアップ電圧が供給されてデータを保持（バックアップ）できる構成となっており、ＲＡＭ５１３には、各種のデータ等を一時的に記憶するためのメモリやエリアの他に、バックアップエリア５１３ａが設けられている。
【０１４６】
バックアップエリア５１３ａは、停電などの発生により電源が遮断された場合において、電源遮断時のスタックポインタや、各レジスタ、Ｉ／Ｏ等の値を記憶しておくためのエリアであり、電源投入時には、このバックアップエリア５１３ａの情報に基づいてパチンコ機１０の状態が電源遮断前の状態に復帰できるようになっている。バックアップエリア５１３ａへの書き込みはＮＭＩ割込み処理によって電源遮断時に実行され、バックアップエリア５１３ａに書き込まれた各値の復帰は電源投入時のメイン処理において実行される。なお、主制御装置２７１のＣＰＵ５０１と同様、ＣＰＵ５１１のＮＭＩ端子にも、停電等の発生による電源遮断時に停電監視回路５４２から停電信号ＳＧ１が入力されるように構成されており、停電の発生により、ＮＭＩ割込み処理が即座に実行されるようになっている。
【０１４７】
払出制御装置３１１のＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２７１、発射制御装置３１２、払出モータ３５８ａなどがそれぞれ接続されている。
【０１４８】
発射制御装置３１２は、発射モータ２２９による遊技球の発射を許可又は禁止するものであり、発射モータ２２９は、所定条件が整っている場合に駆動が許可される。具体的には、払出制御装置３１１から発射許可信号が出力されていること、遊技者が遊技球発射ハンドル１８に触れていることをセンサ信号により検出していること、発射を停止させるための発射停止スイッチが操作されていないことを条件に、発射モータ２２９が駆動され、遊技球発射ハンドル１８の操作量に応じた強さで遊技球が発射される。
【０１４９】
表示制御装置２１４は、図柄表示装置４１における第１図柄（特別図柄）の変動表示を制御するものである。表示制御装置２１４は、ＣＰＵ５２１と、ＲＯＭ（プログラムＲＯＭ）５２２と、ワークＲＡＭ５２３と、ビデオＲＡＭ５２４と、キャラクタＲＯＭ５２５と、画像コントローラ５２６と、入力ポート５２７と、２つの出力ポート５２８，５２９と、バスライン５３０，５３１とを備えている。入力ポート５２７の入力側には主制御装置２７１の出力側が接続され、入力ポート５２７の出力側には、ＣＰＵ５２１、ＲＯＭ５２２、ワークＲＡＭ５２３、画像コントローラ５２６が接続されると共にバスライン５３０を介して出力ポート５２８が接続されている。出力ポート５２８の出力側には音声ランプ制御装置２７２が接続されている。また、画像コントローラ５２６にはバスライン５３１を介して出力ポート５２９が接続されており、その出力ポート５２９の出力側には図柄表示装置４１が接続されている。
【０１５０】
表示制御装置２１４のＣＰＵ５２１は、主制御装置２７１から送信される図柄表示コマンドに基づいて図柄表示装置４１の表示を制御する。ＲＯＭ５２２は、ＣＰＵ５２１により実行される各種の制御プログラムや固定値データを記憶するためのメモリであり、ワークＲＡＭ５２３は、ＣＰＵ５２１による各種プログラムの実行時に使用されるワークデータやフラグを一時的に記憶するためのメモリである。
【０１５１】
ビデオＲＡＭ５２４は、図柄表示装置４１に表示される表示データを記憶するためのメモリであり、ビデオＲＡＭ５２４の内容を書き替えることにより、図柄表示装置４１の表示内容が変更される。キャラクタＲＯＭ５２５は、図柄表示装置４１に表示される図柄などのキャラクタデータを記憶するためのメモリである。画像コントローラ５２６は、ＣＰＵ５２１、ビデオＲＡＭ５２４、出力ポート５２９のそれぞれのタイミングを調整してデータの読み書きに介在すると共に、ビデオＲＡＭ５２４に記憶される表示データを、キャラクタＲＯＭ５２５から所定のタイミングで読み出して図柄表示装置４１に表示させるものである。
【０１５２】
電源装置３１３は、パチンコ機１０の各部に電源を供給するための電源部５４１と、停電等による電源遮断を監視する停電監視回路５４２と、ＲＡＭ消去スイッチ３２３に接続されてなるＲＡＭ消去スイッチ回路５４３とを備えている。電源部５４１は、図示しない電源経路を通じて、主制御装置２７１や払出制御装置３１１等に対して各々に必要な動作電源を供給する。その概要としては、電源部５４１は、外部より供給される交流２４ボルト電源を取り込み、各種スイッチやモータ等を駆動するための＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２７１や払出制御装置３１１等に対して供給する。なお、発射制御装置３１２に対しては払出制御装置３１１を介して動作電源（＋１２Ｖ電源、＋５Ｖ電源等）が供給される。
【０１５３】
停電監視回路５４２は、停電等の発生による電源遮断時に、主制御装置２７１のＣＰＵ５０１及び払出制御装置３１１のＣＰＵ５１１の各ＮＭＩ端子へ停電信号ＳＧ１を出力するための回路である。停電監視回路５４２は、電源部５４１から出力される最大電圧である直流安定２４ボルトの電圧を監視し、この電圧が２２ボルト未満になった場合に停電（電源遮断）の発生と判断して、停電信号ＳＧ１を主制御装置２７１及び払出制御装置３１１へ出力する。停電信号ＳＧ１の出力によって、主制御装置２７１及び払出制御装置３１１は、停電の発生を認識し、ＮＭＩ割込み処理を実行する。なお、電源部５４１は、直流安定２４ボルトの電圧が２２ボルト未満になった後においても、ＮＭＩ割込み処理の実行に充分な時間の間、制御系の駆動電圧である５ボルトの出力を正常値に維持するように構成されている。よって、主制御装置２７１及び払出制御装置３１１は、ＮＭＩ割込み処理を正常に実行し完了することができる。
【０１５４】
ＲＡＭ消去スイッチ回路５４３は、ＲＡＭ消去スイッチ３２３のスイッチ信号を取り込み、そのスイッチ３２３の状態に応じて主制御装置２７１及び払出制御装置３１１のバックアップデータをクリアするためのＲＡＭ消去信号ＳＧ２を出力する回路である。ＲＡＭ消去スイッチ３２３が押された際、ＲＡＭ消去スイッチ回路５４３は、主制御装置２７１及び払出制御装置３１１に対してＲＡＭ消去信号ＳＧ２を出力する。これにより、ＲＡＭ消去スイッチ３２３が押された状態でパチンコ機１０の電源が投入されると、主制御装置２７１及び払出制御装置３１１においてそれぞれのバックアップエリア５０３ａ，５１３ａのデータがクリアされる。
【０１５５】
以上詳述した本実施の形態によれば、以下の優れた効果を奏する。
【０１５６】
主制御装置２７１において、主基板２８０の表面における基板ボックス２７３（ボックスカバー２８３）の開口部２８３ｃを通じて露出される領域に配線パターンを形成しない構成とすることにより、開口部２８３ｃを介して配線パターンに外部からリード線を接続し、そのリード線を介して出力される不正信号によりパチンコ機１０を誤動作させる等の不正行為を抑制することができる。
【０１５７】
また、主基板２８０における基板ボックス２７３の開口部２８３ｃを通じて露出される領域の裏面側に配線パターンが形成されていることにより、露出される領域に配線パターンを形成しないようにした構成において、配線パターンの形成領域を確保することができる。
【０１５８】
また、コネクタ２８１の接続ピン２８４を主基板２８０の裏面側に貫通させ、その裏面に形成された配線パターンに接続する構成とすることにより、開口部２８３ｃを通じて露出される領域に配線パターンを形成しないようにした構成においてコネクタ２８１の配線パターンへの接続が確保されている。
【０１５９】
また、基板ボックス２７３における開口部２８３ｃの周縁部分を主基板２８０に当接させる構成とすることにより、基板ボックス２７３と主基板２８０との間を通じて基板ボックス２７３内にリード線を挿し入れることが困難となる。よって、基板ボックス２７３と主基板２８０との間を通じて行われる外部からのリード線の接続などの不正行為を抑制することができる。
【０１６０】
なお、ボックスベース２８３に重なり部２８３ｂを設け、重なり部２８３ｂに開口部２８３ｃを形成する構成とすることにより、比較的背の低いコネクタ２８１を使用することができる。これは、コネクタ２８１の低コスト化や、主制御装置２７１の小型化を図る上で有利な構成となる。
【０１６１】
（第２実施形態）
本第２実施形態では、上記第１実施形態の構成に対して、主制御装置２７１等におけるコネクタ周辺の構成を変更する。そこで、主制御装置２７１について、上記第１実施形態と異なる構成について図２６〜図２８を用いて説明する。図２６は、第１制御基板ユニット２０１を構成する主制御装置２７１についてコネクタ搭載部周辺の断面構成（図１３のＡ−Ａ線断面に相当）を示す断面図、図２７は、図２６に示す各構成部材を上下に分離して示す断面図、図２８は、同じくコネクタ搭載部周辺の構成についての分解斜視図である。
【０１６２】
図２６に示すように、本実施形態では、主基板２８０とコネクタ２８１との間にスペーサ部材２９１が介在されている。このスペーサ部材２９１は、ボックスカバー２８３の開口部２８３ｃを塞ぐに足りる大きさを有しており（すなわち、スペーサ部材２９１の外周輪郭部分は開口部２８３ｃの周縁よりも大きい）、その中央部分には、コネクタ２８１の各接続ピン２８４をまとめて挿通可能であり且つ同コネクタ２８１の底部よりも小さい開口面積を有する開口部２９２が形成されている。また、スペーサ部材２９１の底面側（図の下面側）には、開口部２９２を囲むようにして複数箇所（ここでは６カ所）に突起２９３が設けられている。なお、スペーサ部材２９１は、材料の限定は特にないが、例えばポリプチレン、ポリエーテル、ナイロン（商標名）、ガラス繊維入りナイロン等が使用できる。また、スペーサ部材２９１を透明性を有する材料により形成することで、スペーサ部材２９１を設けた構成において、主基板２８０の表面におけるスペーサ部材２９１と重なる部分の視認性が確保される。
【０１６３】
主基板２８０には、貫通穴２８６を囲むようにして前記スペーサ部材２９１の突起２９３を差し入れるための複数（ここでは６個）のスペーサ位置決め穴２８７が形成されている。ここで、貫通穴２８６は基板上下に貫通するようにして形成される一方、スペーサ位置決め穴２８７は基板上面側から所定深さを有する穴として形成されている。特にスペーサ位置決め穴２８７は、前記スペーサ部材２９１の突起２９３よりも浅い穴となっており、スペーサ部材２９１を主基板２８０上に設置した状態では、主基板２８０とスペーサ部材２９１とが離間し、その両者間に所定の空間ＳＰが形成されるようになっている。
【０１６４】
このとき、空間ＳＰにおける主基板２８０とスペーサ部材２９１との間の間隔（図の上下高さ）は１ｍｍ程度である。ただし、同空間ＳＰの間隔（図の上下高さ）は、少なくとも０．５ｍｍ以上であると良く、１ｍｍとする以外に、０．５ｍｍ程度とする、１．５ｍｍ程度とする、２ｍｍ程度とするなどの構成が可能である。
【０１６５】
なお、図２８において、貫通穴２８６を囲む点線枠は主基板２８０上における接続ピン設置領域を示し、スペーサ位置決め穴２８７を囲む点線枠は主基板２８０上におけるスペーサ部材２９１の搭載領域を示す。
【０１６６】
そして、主制御装置２７１の組み付け時には、主基板２８０に形成したスペーサ位置決め穴２８７にスペーサ部材２９１の突起２９３が差し入れられ、同スペーサ部材２９１が主基板２８０上に設置される。次に、主基板２８０にコネクタ２８１が取り付けられる。詳しくは、コネクタ２８０の接続ピン２８４がスペーサ部材２９１の開口部２９２を通じて主基板２８０の貫通穴２８６に差し入れられる。そしてこの状態で、主基板２８０の裏面側において、接続ピン２８４に対してフロー半田付け手法等により半田付けが行われ、コネクタ２８１が主基板２８０に固定される。因みに、フロー半田付けでは、溶融半田が噴流モータ等により持ち上げられて接続ピンに対する半田付けが行われる。
【０１６７】
このとき、半田は、毛管現象により接続ピン２８４と貫通穴２８６内壁との間の微小隙間を通って基板表面側に流れ出る。したがって、仮に、スペーサ部材２９１の下面ほぼ全体が基板表面に当接しスペーサ部材２９１と基板表面との間が微小隙間となっている構成では、スペーサ部材２９１と基板表面との微小隙間の毛管現象により半田が広がって接続ピン２８４間のショート不良等が生じたりするおそれが懸念される。これに対し本実施の形態の構成によれば、基板表面側には、基板表面とスペーサ部材２９１との間に空間ＳＰが形成されているため、半田の流れ出しによる不具合が回避できる。つまり、貫通穴２８６を介して半田が基板表面側に流れ出たとしても、基板表面側では空間ＳＰが形成されているため、半田がスペーサ部材２９１に付着することはない。したがって、半田の広がりが抑制されるため、複数の接続ピン２８４間のショート不良解消できる。
【０１６８】
上記のように主基板２８０上にコネクタ２８１が固定された後、主基板２８０がボックスベース２８２上に固定され、その状態で主基板２８０の表面側にボックスカバー２８３が被せられる。このとき、ボックスカバー２８３の周壁部２８３ｄの下端部がスペーサ部材２９１の上面に当接する。
【０１６９】
図２６に示す状態の主制御装置２７１では、ボックスカバー２８３の開口部２８３ｃにおいてコネクタ２８１との間に隙間ができるが、スペーサ部材２９１によって主基板２８０の表面が露出されないようになっている。さらに、上記第１実施形態と同様に、スペーサ部材２９１によって覆われる部分には配線パターンが形成されていない。したがって、ボックスカバー２８３の開口部２８３ｃを通じて行われる主基板２８０への不正行為を抑制することができる。
【０１７０】
なお、主基板２８０に形成したスペーサ位置決め穴２８７は基板上下に貫通する貫通穴であっても良い。ただしこの場合、スペーサ部材２９１を主基板２８０上に設置した状態において、主基板２８０とスペーサ部材２９１とが離間した状態となりその両者間に所定の空間ＳＰが形成されるよう、スペーサ部材２９１の突起２９３を長くするとともに突起２９３の基板部をスペーサ固定穴の穴径よりも太くすると良い。
【０１７１】
また、スペーサ部材２９１に設けた突起２９３は、直線状又は曲線状に延びる突条であっても良い。
【０１７２】
以上詳述した本実施の形態によれば、上述した第１実施形態における効果に加え、以下の優れた効果を奏する。
【０１７３】
主制御装置２７１において、主基板２８０とコネクタ２８１との間にスペーサ部材２９１を介在させる構成としたため、主基板２８０の表面の一部が露出することことが規制される。したがって、基板ボックス２７３（ボックスカバー２８３）の開口部２８３ｃを通じて行われる主基板２８０への不正行為をより確実に抑制することができる。
【０１７４】
また、スペーサ部材２９１と主基板２８０との間に、コネクタ接続ピン２８４の基板接続部を囲むようにしてこれらスペーサ部材２９１と主基板２８０とを離間させる空間ＳＰを形成する構成としたため、主基板２８０とスペーサ部材２９１との間の毛管現象による半田の広がりが抑制でき、コネクタ２８１における接続ピン間のショート不良や他部位のショート不良が防止できる。
【０１７５】
スペーサ部材２９１において、コネクタ２８１の接続ピン２８４を挿通させるための開口部２９２をコネクタ２８１の底部よりも小さい開口面積とし、コネクタ２８１の底部をスペーサ部材２９１に当接させる構成としたため、コネクタ２８１とスペーサ部材２９１との間を通じての不正行為を困難なものとすることができる。
【０１７６】
ボックスカバー２８３の周壁部２８３ｄの下端部（開口部２８３ｃの周縁部分）がスペーサ部材２９１の上面に当接するため、ボックスカバー２８３とスペーサ部材２９１との間を通じての不正行為を困難なものとすることができる。
【０１７７】
スペーサ部材２９１に設けた突起２９３によりスペーサ部材２９１と主基板２８０とを離間させることができる。この場合、突起２９３の高さ（長さ）を調整することで、スペーサ部材２９１と主基板２８０との間の空間ＳＰの間隔を容易に調整できる。
【０１７８】
スペーサ部材２９１に設けた突起２９３は、スペーサ部材２９１の位置決め機能も有しており、この突起２９３によりスペーサ部材２９１の位置ズレが防止できる。
【０１７９】
なお、上述した実施の形態の記載内容に限定されず、例えば次のように実施してもよい。
【０１８０】
（ａ）上記第１実施形態では、例えば主制御装置２７１において、ボックスカバー２８３に各コネクタ２８１に対応させて開口部を形成したが、ボックスカバーに横長の開口部を形成し、近接する複数のコネクタをまとめて開口部から基板ボックス外部に露出させる構成としてもよい。この場合、上記第１実施形態よりも開口部の形成を容易に行うことができる。なお、当該構成であったとしても、開口部を通じて露出されるの表面を含む範囲で配線パターンが形成されていないことにより、開口部を介した不正行為を抑制することができる。
【０１８１】
（ｂ）上記第１実施形態におけるコネクタ搭載部の構成を図２９（ア）又は（イ）のように変形してもよい。
【０１８２】
まず図２９の（ア）に示す構成では、主基板２８０にはコネクタ２８１の周りを囲むように環状の溝部２８８が形成されており、この溝部２８８にボックスカバー７０１に設けられた周壁部７０１ｂの先端部を入れる構成となっている。さらに、ボックスカバー７０１の開口部７０１ａを通じて露出される主基板２８０の表面及びその周縁部分を含む範囲で配線パターンが形成されていない。これにより、仮に、ボックスカバー７０１と主基板２８０との間に外部からリード線などを差し込んだとしても、それを周壁部７０１ｂよりも基板ボックス内に導くことがきわめて困難となる。よって、ボックスカバー７０１と主基板２８０との間を通じて行われる外部からのリード線の接続などの不正行為を抑制することができる。
【０１８３】
また、図２９の（イ）に示す構成では、主基板２８０には、該主基板２８０の表面から上方（ボックスカバー側）に向けて突出し、基板ボックス内部でボックスカバー２８３に設けられた周壁部２８３ｄを囲む突出部２８９が形成されている。さらに、主基板２８０の表面上における突出部２８９により囲んだ範囲内で配線パターンを形成しない構成となっている。これにより、ボックスカバー２８３と主基板２８０との間を通じて外部からリード線が差し入れられたとしても、それを突出部２８９の上方を通らせて基板ボックス内に導くことは困難である。よって、ボックスカバー２８３と主基板２８０との間を通じて行われる外部からのリード線の接続などの不正行為を抑制することができる。
【０１８４】
なお、上記第１実施形態のように、主基板２８０の表面における配線パターンが形成された領域（配線パターン領域）の隅部にコネクタ設置領域が設けられている構成においては、開口部２８３ｃを通じて露出される領域が配線パターン領域に囲まれることはない。従って、この場合、周壁部２８３ｄを囲むようにして突出部２８９を設けるのではなく、主基板２８０の表面上におけるコネクタ設置領域と配線パターン領域との間において周壁部２８３ｄと対向するようにして突出部を設ける構成としてもよい。また、主基板２８０の表面上における基板ボックス２８３の開口部２８３ｃを通じて露出される領域から突出部の位置までを含む範囲で配線パターンを形成しない構成とする。当該構成においても、ボックスカバー２８３と主基板２８０との間を通じて外部からリード線などを差し入れ、それを配線パターンが形成された領域に導こうとしても突出部の位置で遮られるため、外部からのリード線の接続などの不正行為を抑制することができる。
【０１８５】
（ｃ）上記第１実施形態では、ボックスカバー２８３に重なり部２８３ｂが形成されている構成であったが、重なり部２８３ｂが形成されていない構成としてもよい。但し、ボックスカバー２８３と主基板２８０との間を通じて外部からリード線を挿し入れる行為を抑制すべく、開口部２８３ｃの外縁を形成する周壁部２８３ｄを主基板２８０と当接させる必要がある。
【０１８６】
（ｄ）上記第２実施形態におけるコネクタ搭載部の構成を図３０の（ア）〜（ウ）のように変形してもよい。ただし図３０は、前記図２６の一部を変更したものであり、前記図２６と構成を同じくするものについては同一の部材番号を付すとともに説明を省略する。
【０１８７】
まず図３０の（ア）に示す構成では、スペーサ部材２９１に、ボックスカバー２８３の開口部２８３ｃよりも一回り（より具体的には周壁部２８３ｄの肉厚分だけ）大きいロの字状の囲い部９０１を形成している。この場合、ボックスカバー２８３の周壁部２８３ｄを囲い部９０１により囲むようにすることで、スペーサ部材２９１の上面部とボックスカバー２８３との当接部から不正道具等を差し入れるなどの不正行為を確実に抑制することができる。
【０１８８】
また、図３０の（イ）に示す構成では、ボックスカバー２８３に周壁部２８３ｄを設ける代わりに、スペーサ部材２９１に周壁部９０２を設けている。
【０１８９】
また、図３０の（ウ）に示す構成では、ボックスカバー２８３に設けた周壁部２８３ｄを無くす構成としている。この場合、ボックスカバー２８３の下面とスペーサ部材２９１の上面とが当接している。
【０１９０】
また、上記第２実施形態における図２６、及び図３０の（ア）〜（ウ）に示す構成において、スペーサ部材２９１の外底面を主基板２８０と当接させ、スペーサ部材２９１と主基板２８０との間に空間部を設けない構成としてもよい。
【０１９１】
（ｅ）上記第２実施形態では、スペーサ部材２９１に突起２９３を設けることでスペーサ部材２９１と主基板２８０とを離間させる構成としたが、これに代えて、主基板２８０に突出部を設けることでスペーサ部材２９１と主基板２８０とを離間させる構成としても良い。このとき、スペーサ部材２９１において、前記突出部に対応する位置に位置決め凹部を形成すると良い。なお、突出部は、主基板２８０上に点在する突起、或いは直線状又は曲線状等などに延びる突条であってもよい。
【０１９２】
（ｆ）上記第２実施形態では、略板状のスペーサ部材２９１に突起２９３を一体形成する構成としたが、これに代えて、スペーサ部材（介在部材）を、平板状の板部材とこれとは別の脚部材とにより構成する。そして、脚部材を主基板２８０上に固定し、その上に板部材を設ける。この場合、脚部材を選択的に用いることで、板部材（スペーサ部材）と主基板２８０との間の空間部の間隔を容易に調整できる。
【０１９３】
（ｇ）上記第２実施形態において、少なくとも２つのコネクタ２８１についてスペーサ部材を同一体としても良い。つまりこの場合、隣り合う複数のコネクタ２８１について、同一体のスペーサ部材を用いて主基板２８０上への固定が行われる。この場合、主基板２８０に対するスペーサ部材やコネクタ部材の組付が容易となる。
【０１９４】
（ｈ）基板ボックス２７３のボックスカバー２８３を内外二重構造とし、その外側カバーと内側カバーとにそれぞれ放熱のための多数の通気孔を設ける。また、それら内外二重のカバーに設けた各通気孔を、基板ボックス２７３の平面視において互いに重ならないように配置する。これにより、基板ボックス２８３における放熱機能を維持しつつ、通気孔を介しての不正行為を困難なものとすることができる。つまり、外側カバーの通気孔に針金や棒状部材等を差し入れても、内側カバーの通気孔を通すことが困難となり、不正抑制効果が期待できる。なお、外側カバーの通気孔は、内側カバーの通気孔よりも孔径が大きいと良い。また、内側カバーの通気孔よりも配置密度を粗くしても良い。
【０１９５】
（ｉ）上記各実施形態における主制御装置２７１のコネクタに関する特徴的な構成を、払出制御装置３１１に対して適用してもよい。払出制御装置３１１では遊技球の払い出しに関わる制御が行われるため、払出制御装置３１１に対して不正が行われると遊技ホールなどに多大な被害を与えるおそれがあるからである。
【０１９６】
（ｊ）上記各実施形態では、主制御装置２７１において、図柄表示装置４１における停止図柄の細かな組合せ、図柄の変動パターンやリーチ演出を決定する構成であったが、これを変更してもよい。例えば、主制御装置２７１は、図柄表示装置４１における停止図柄の細かな組合せ、図柄の変動パターンやリーチ演出を決定せずに、表示制御装置２１４がこれらを決定する構成であってもよい。この場合、主制御装置２７１は、ノーマル大当たり状態に移行した後に高確率状態に移行する大当たり、スーパー大当たり状態に移行した後に通常状態に移行する大当たり又は大当たり発生無しのうちのいずれが当該遊技回において発生するかの旨と、第１特定ランプ部４７に表示される色の切替表示時間とを含めた表示コマンドを表示制御装置２１４に対して出力する構成とする。そして、表示制御装置２１４は、この主制御装置２７１からの表示コマンドに基づいて、停止図柄の細かな組合せ、図柄の変動パターンやリーチ演出を決定し、切替表示時間の範囲内で図柄の変動表示を制御する。本構成であれば、上記実施の形態における効果を奏しつつ、さらに主制御装置２７１の処理負荷の軽減を図ることができる。
【０１９７】
（ｋ）上記各実施形態では、第１特定ランプ部４７が図柄表示装置４１の表示画面の上方に配設されている構成であったが、他の位置に配設されている構成であってもよい。例えば、第１特定ランプ部４７がアウト口３６付近に配設されている構成であってもよい。
【０１９８】
（ｌ）上記各実施形態では、図柄表示装置４１の表示画面の全図柄が停止した後に、第１特定ランプ部４７に表示される色の切替表示が終了する構成であったが、図柄表示装置４１の表示画面の全図柄が停止するのと同時に第１特定ランプ部４７に表示される色の切替表示が終了する構成であってもよい。
【０１９９】
（ｍ）上記各実施形態では、赤色、緑色、青色の順序を繰り返し表示することにより、第１特定ランプ部４７に表示される色の切り替え表示を行う構成であったが、これを変更してもよい。例えば、上記３色がランダムに表示される構成であってもよい。
【０２００】
（ｎ）上記各実施形態では、第１図柄の変動表示を行う図柄表示装置４１と別に第１特定ランプ部４７を設ける構成としたが、第１特定ランプ部４７を設けずともよい。
【０２０１】
（ｏ）上記各実施形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも適用できる。また、弾球式でない遊技機、例えばスロットマシン等の回胴式遊技機や、遊技球を投入した上でスタートレバーを操作することで図柄が付されたベルトを周回させ、その周回動作をストップボタンで停止させ、その停止図柄の組合せにより賞球の払出を行なう球使用ベルト式遊技機にも適用できる。
【図面の簡単な説明】
【０２０２】
【図１】一実施の形態におけるパチンコ機を示す正面図である。
【図２】パチンコ機の主要な構成を展開又は分解して示す斜視図である。
【図３】パチンコ機を構成する本体枠の前面構成を示す正面図である。
【図４】遊技盤の構成を示す正面図である。
【図５】前扉枠の構成を示す背面図である。
【図６】パチンコ機の構成を示す背面図である。
【図７】パチンコ機の背面構成を主要部品毎に分解して示す分解斜視図である。
【図８】パチンコ機裏面における第１制御基板ユニット、第２制御基板ユニット及び裏パックユニットの配置を示す模式図である。
【図９】本体枠及び遊技盤の構成を示す背面図である。
【図１０】本体枠の背面構成を示す斜視図である。
【図１１】遊技盤の背面構成を示す斜視図である。
【図１２】軸受け金具の構成を示す斜視図である。
【図１３】第１制御基板ユニットの構成を示す正面図である。
【図１４】第１制御基板ユニットの構成を示す斜視図である。
【図１５】第１制御基板ユニットの分解斜視図である。
【図１６】第１制御基板ユニットの背面構成を示す分解斜視図である。
【図１７】主制御装置についてコネクタ搭載部周辺の断面構成を示す断面図である。
【図１８】コネクタ搭載部周辺の断面構成を示す断面図である。
【図１９】コネクタ搭載部周辺の構成を説明するための説明図である。
【図２０】第２制御基板ユニットの構成を示す正面図である。
【図２１】第２制御基板ユニットの構成を示す斜視図である。
【図２２】第２制御基板ユニットの分解斜視図である。
【図２３】裏パックユニットの構成を示す正面図である。
【図２４】裏パックユニットの分解斜視図である。
【図２５】パチンコ機の電気的構成を示すブロック図である。
【図２６】主制御装置についてコネクタ搭載部周辺の断面構成を示す断面図である。
【図２７】図１７に示す各構成部材を上下に分離して示す断面図である。
【図２８】コネクタ搭載部周辺の構成についての分解斜視図である。
【図２９】主制御装置についてコネクタ搭載部周辺の断面構成を示す断面図である。
【図３０】主制御装置についてコネクタ搭載部周辺の断面構成を示す断面図である。
【符号の説明】
【０２０３】
１０…遊技機としてのパチンコ機、１１…外枠、１２…本体枠、１３…前扉枠、３０…遊技盤、３３…作動口、３５…可変表示ユニット、４１…絵柄表示装置としての図柄表示装置、４７…第２表示手段としての第１特定ランプ部、４８…第２特定ランプ部、５０…レールユニット、１０１…窓部、２１４…動作装置としての表示制御装置、２７１…主制御装置、２７３…基板ボックス、２８０…主制御基板としての主基板、２８１…コネクタ、２８３ａ…収容部、２８３ｂ…重なり部、２８３ｃ…開口部、２８３ｄ…周壁部、２８４…接続ピン、２８７…スペーサ位置決め穴、２８８…溝部、２８９…突出部、２９１…介在部材としてのスペーサ部材、２９２…開口部、２９３…突起、９０１…囲い部、ＬＮ１…表面側配線、ＬＮ２…裏面側配線、ＳＰ…空間。
【図１】
2006288874.tif 000003
【図２】
2006288874.tif 000004
【図３】
2006288874.tif 000005
【図４】
2006288874.tif 000006
【図５】
2006288874.tif 000007
【図６】
2006288874.tif 000008
【図７】
2006288874.tif 000009
【図８】
2006288874.tif 000010
【図９】
2006288874.tif 000011
【図１０】
2006288874.tif 000012
【図１１】
2006288874.tif 000013
【図１２】
2006288874.tif 000014
【図１３】
2006288874.tif 000015
【図１４】
2006288874.tif 000016
【図１５】
2006288874.tif 000017
【図１６】
2006288874.tif 000018
【図１７】
2006288874.tif 000019
【図１８】
2006288874.tif 000020
【図１９】
2006288874.tif 000021
【図２０】
2006288874.tif 000022
【図２１】
2006288874.tif 000023
【図２２】
2006288874.tif 000024
【図２３】
2006288874.tif 000025
【図２４】
2006288874.tif 000026
【図２５】
2006288874.tif 000027
【図２６】
2006288874.tif 000028
【図２７】
2006288874.tif 000029
【図２８】
2006288874.tif 000030
【図２９】
2006288874.tif 000031
【図３０】
2006288874.tif 000032